(57)【要約】【課題】落下防止ワイヤの取り付け状況を容易に確認することができる照明器具を提供することを目的とする。【課題手段】光源１１を有する光源モジュール１４と、光源１１の点灯を制御する制御装置４０を有し光源１１を点灯させる点灯装置１とを含む照明回路と、固定部に一端が接続可能であり、光源１１に物理的に他端が接続可能であるワイヤとを備え、制御装置４０は、ワイヤと光源１１との物理的な接続状態に応じて変化する照明回路内の検出電圧値に基づいてワイヤと光源１１との接続状態を判断する判断部を有し、判断部によって判断された接続状態に応じて報知手段に制御信号を出力することを特徴とする。【選択図】      図２
2018120737.tif 000002
【特許請求の範囲】
【請求項１】
光源を有する光源モジュールと、前記光源の点灯を制御する制御装置を有し前記光源を点灯させる点灯装置とを含む照明回路と、
固定部に一端が接続可能であり、前記光源に物理的に他端が接続可能であるワイヤと、
を備え、
前記制御装置は、前記ワイヤと前記光源との物理的な接続状態に応じて変化する前記照明回路内の検出電圧値に基づいて前記ワイヤと前記光源との接続状態を判断する判断部を有し、前記判断部によって判断された前記接続状態に応じて報知手段に制御信号を出力すること、
を特徴とする照明器具。
【請求項２】
前記制御装置は、予め閾値が記憶された記憶部をさらに有し、
前記検出電圧値は、前記光源の両端電圧に基づいており、
前記判断部は、前記検出電圧値と前記閾値とを比較して、前記ワイヤと前記光源との接続状態を判断すること、
を特徴とする請求項１に記載の照明器具。
【請求項３】
前記制御装置は、予め閾値及び基準時間が記憶された記憶部をさらに有し、
前記検出電圧値は、前記光源の両端電圧に基づいており、
前記判断部は、前記照明回路に電流が流れ始めてから、前記検出電圧値が前記閾値になるまでの時間と前記基準時間とを比較して、前記ワイヤと前記光源との接続状態を判断すること、
を特徴とする請求項１に記載の照明器具。
【請求項４】
前記報知手段として前記光源を用い、
前記制御信号は、前記光源を点滅動作させる信号であること、
を特徴とする請求項１から請求項３のいずれか一項に記載の照明器具。
【請求項５】
前記点滅動作は、一定時間間隔で行われること、
を特徴とする請求項４に記載の照明器具。
【請求項６】
前記報知手段としてブザーを用い、
前記制御信号は、前記ブザーを鳴動させる信号であること、
を特徴とする請求項１から請求項５のいずれか一項に記載の照明器具。
【請求項７】
前記報知手段としてリモコンを用い、
前記制御信号は、前記判断部によって判断された前記接続状態に応じたメッセージを前記リモコンに表示させる信号であること、
を特徴とする請求項１から請求項６のいずれか一項に記載の照明器具。
【請求項８】
前記リモコンは、前記検出電圧値が前記閾値以上の場合に、第１のメッセージを表示すること、
を特徴とする請求項７に記載の照明器具。
【請求項９】
前記リモコンは、前記検出電圧値が前記閾値未満の場合に、第２のメッセージを表示すること、
を特徴とする請求項７又は請求項８に記載の照明器具。
【請求項１０】
前記光源モジュールは、
前記光源に対して並列に接続された第１の抵抗と、
前記ワイヤの前記他端が接続され、前記光源に対して並列かつ前記第１の抵抗に対して直列に接続された第１の接続部と、
を有し、
前記ワイヤの前記他端と前記第１の接続部とが接続した状態で前記光源に電流が流れると、前記第１の抵抗及び前記第１の接続部に電流が流れ、
前記検出電圧値は、前記光源に対して並列に接続された第２の抵抗と前記光源に対して並列かつ前記第２の抵抗に対して直列に接続された第３の抵抗とによって分圧された前記光源の両端電圧であること、
を特徴とする請求項１から請求項９のいずれか一項に記載の照明器具。
【請求項１１】
前記点灯装置は、
前記光源に対して並列に接続された第４の抵抗と、
前記光源に対して並列かつ前記第４の抵抗に対して直列に接続された第５の抵抗と、
を有し、
前記第５の抵抗には、前記ワイヤの前記他端が接続された第２の接続部が並列に接続され、
前記ワイヤの前記他端と前記第２の接続部とが接続した状態で前記光源に電流が流れると、前記第４の抵抗及び前記第５の抵抗並びに前記第２の接続部に電流が流れ、
前記検出電圧値は、前記第４の抵抗と前記第５の抵抗とよって分圧された前記光源の両端電圧であること、
を特徴とする請求項１から請求項９のいずれか一項に記載の照明器具。
【発明の詳細な説明】
【技術分野】
【０００１】
本発明は、照明器具に関するものである。
【背景技術】
【０００２】
従来の照明器具には、振動等を受けた際に、落下防止ワイヤを用いてランプが落下することを防止したものがある。
【０００３】
落下防止ワイヤには、一端と他端との間に中間部を設け、一端をランプに接続し中間部をセードの下端部の縁に接続し他端をセードの上方の照明器具本体に接続して、口金の回転を規制するように、一端と中間部との間を張った状態とするものがある（例えば、特許文献１）。
【先行技術文献】
【特許文献】
【０００４】
【特許文献１】特開２０１５−２８８６２号公報
【発明の概要】
【発明が解決しようとする課題】
【０００５】
このような照明器具にあっては、例えば、真下から照明器具を見た場合に、落下防止ワイヤの一端とランプの一端とが接続しているか否かを確認することが困難であり、落下防止ワイヤの取り付け状況を確認することが困難であるという課題があった。
【０００６】
本発明は、上述のような問題を解決するためになされたものであり、落下防止ワイヤの取り付け状況を容易に確認することができる照明器具を提供することを目的とする。
【課題を解決するための手段】
【０００７】
本発明にかかる照明器具は、光源を有する光源モジュールと、光源の点灯を制御する制御装置を有し光源を点灯させる点灯装置とを含む照明回路と、固定部に一端が接続可能であり、光源に物理的に他端が接続可能であるワイヤとを備え、制御装置は、ワイヤと光源との物理的な接続状態に応じて変化する照明回路内の検出電圧値に基づいてワイヤと光源との接続状態を判断する判断部を有し、判断部によって判断された接続状態に応じて報知手段に制御信号を出力することを特徴とする。
【発明の効果】
【０００８】
本発明にかかる照明器具によれば、制御装置が判断部によって判断された接続状態に応じて報知手段に制御信号を出力するので、落下防止ワイヤの取り付け状況を容易に確認することができる。
【図面の簡単な説明】
【０００９】
【図１】本発明の実施の形態１にかかる照明器具を示す斜視図である。
【図２】本発明の実施の形態１にかかる照明器具の回路を示す図である。
【図３】本発明の実施の形態１にかかる照明器具が備える点灯装置の負荷検出回路で検出される電圧を示したグラフである。
【図４】本発明の実施の形態２にかかる照明器具が備える点灯装置の負荷検出回路で検出される電圧を示したグラフである。
【図５】本発明の実施の形態２にかかる照明器具の変形例において、判断部が落下防止ワイヤの他端と第１の接続部は接続していないと判断した場合に、光源に流れる電流波形の例を示す図である。
【図６】本発明の実施の形態３にかかる照明器具が備える点灯装置の負荷検出回路で検出される電圧を示したグラフである。
【図７】本発明の実施の形態４にかかる照明器具の照明回路を示す図である。
【図８】本発明の実施の形態５にかかる照明器具を示す斜視図である。
【図９】本発明の実施の形態５にかかる照明器具の照明回路を示す図である。
【図１０】本発明の実施の形態６にかかる照明器具を示す斜視図である。
【発明を実施するための形態】
【００１０】
以下、図を用いて本発明の実施の形態について説明する。なお、各図中、同一又は相当する部分には、同一符号を付して、その説明を適宜省略又は簡略化する。また、実施の形態の説明において、「上」、「下」、「左」、「右」、「前」、「後」、「表」、「裏」といった向きは、説明の便宜上、そのように記しているだけであって、装置、器具、部品等の配置や向き等を限定するものではない。
【００１１】
実施の形態１．
図１は、本発明の実施の形態１にかかる照明器具１００を示す斜視図である。本実施の形態にかかる照明器具１００は、天井に取り付けられる。
【００１２】
まず、本発明の実施の形態１にかかる照明器具１００の外形について説明する。図１に示すように、本実施の形態にかかる照明器具１００は、筐体１１１と、筐体１１１に取り付けられた吊り体１０９とを備える。本実施の形態にかかる照明器具１００は、点灯装置１をさらに備え、筐体１１１に含まれる本体カバー部１０１と光透過性カバー部１０２とで囲まれる空間内に、点灯装置１に接続された外部配線１１０を介して点灯装置１から電力が供給される光源１１をさらに備える。しかしながら光源１１は、本体カバー部１０１と光透過性カバー部１０２とで囲まれる空間内にあるため、図１において、光源１１の全体像及び詳細は図示されない。光源１１から発せられた光は、照明器具１００の外部を照らすように、光透過性カバー部１０２を通る。本実施の形態にかかる照明器具１００は、光源１１の落下を防止する落下防止ワイヤ１０４をさらに備える。
【００１３】
外部配線１１０は、図１において１本のケーブルで示されるが、点灯装置１から光源１１へ向かう方向に電流が流れる第１の配線１１０ａと、光源１１から点灯装置１へ向かう方向に電流が流れる第２の配線１１０ｂとを有する。第１の配線１１０ａ及び第２の配線１１０ｂについては、後述する。
【００１４】
吊り体１０９は、天井固定具１０８と、接続具１０７と、筐体固定具１０６とを含む。筐体１１１は、筐体固定具１０６に固定され、筐体１１１及び筐体固定部１０６は、天井固定部１０８を介して天井に固定される。接続部１０７は、天井固定具１０８と筐体固定具１０６とを接続する。なお、筐体固定部１０６には、光源１１が固定されてもよい。
【００１５】
落下防止ワイヤ１０４の一端は、固定部である筐体固定具１０６に物理的に接続可能である。図１は、落下防止ワイヤ１０４の一端が筐体固定具１０６に接続される前の状態を示す。落下防止ワイヤ１０４の一端は、図１に示すようにリング状に形成される。リングの内側を筐体固定部１０６に設けられた突起部に引っ掛けて落下防止ワイヤ１０４の一端と筐体固定具１０６とを接続してもよいし、リングの外径よりも小さい孔を筐体固定部１０６に形成して当該孔に落下防止ワイヤ１０４を通し、リングが当該孔に引っ掛かるようにして落下防止ワイヤ１０４の一端と筐体固定具１０６とを接続してもよい。つまり、落下防止ワイヤ１０４の一端と固定部との接続方法は、特に限定されない。
【００１６】
落下防止ワイヤ１０４の一端が接続される固定部は、天井固定具１０８でもよく、接続具１０７であってもよい。落下防止ワイヤ１０４の一端は、天井に直接接続してもよい。すなわち、固定部を天井の一部としてもよい。つまり、落下防止ワイヤ１０４の一端は、光源１１の落下を防止するために、壁や天井等の造営材又は造営材に固定されるものに接続されていればよく、固定部は筐体固定具１０６に限定されない。
【００１７】
図１に示すように、落下防止ワイヤ１０４の他端は、第１の接続部１０３に物理的に接続可能であり、第１の接続部１０３を介して内部配線１０５ａ及び内部配線１０５ｂに接続可能である。第１の接続部１０３について、内部配線１０５ａ及び内部配線１０５ｂについて、落下防止ワイヤ１０４の他端の接続方法等については後述する。
【００１８】
図２は、本発明の実施の形態１にかかる照明器具１００の照明回路を示す図である。本実施の形態にかかる照明器具１００は、光源１１を有する光源モジュールであるＬＥＤモジュール１４と、光源１１の点灯を制御する制御装置４０を有し光源１１を点灯させる点灯装置１とを含む照明回路を備える。図２において、本実施の形態にかかる照明器具１００のうち、点灯装置１は点線で囲まれ、ＬＥＤモジュール１４は破線で囲まれる。ＬＥＤモジュール１４は、光源１１と、第１の検出用抵抗１３と、第１の接続部１０３と、内部配線１０５ａと、内部配線１０５ｂとを有する。図２に示すように、本実施の形態にかかる照明器具１００は、調光器４２と、リモコン４５とをさらに備える。
【００１９】
本実施の形態において、光源１１は、直列に接続された複数のＬＥＤ（Ｌｉｇｈｔ  Ｅｍｉｔｔｉｎｇ  Ｄｉｏｄｅ）素子１１ａである。光源１１を構成するＬＥＤ素子１１ａの数は特に限定されない。また、複数のＬＥＤ素子１１ａを並列に接続して光源１１としてもよく、複数のＬＥＤ素子１１ａを直並列に接続して光源１１としてもよい。
【００２０】
光源１１には第１の検出用抵抗１３が並列に接続される。また、光源１１に対して並列に、かつ第１の検出用抵抗１３に対して直列に第１の接続部１０３が接続される。第１の検出用抵抗１３の一端と第１の接続部１０３の一端とが内部配線１０５ａによって接続され、ＬＥＤ素子１１ａのカソード側と第１の接続部１０３の他端とが内部配線１０５ｂによって接続される。図２に示すように内部配線１０５ａ及び内部配線１０５ｂはＬＥＤモジュール１４内の導線であるので、図１においては破線で示す。本実施の形態において、光源１１と、第１の検出用抵抗１３と、内部配線１０５ａと、内部配線１０５ｂと、第１の接続部１０３とは、一つの基板上に構成される。つまり、ＬＥＤモジュール１４は一つの基板上に構成される。
【００２１】
本実施の形態において、第１の接続部１０３は、内部配線１０５ａと内部配線１０５ｂとをまとめる雄又は雌のコネクター端子である。本実施の形態において、落下防止ワイヤ１０４の他端は、雄又は雌のコネクター端子であり、第１の接続部１０３と対をなすコネクター端子である。第１の接続部１０３には、落下防止ワイヤ１０４の他端が物理的に接続可能である。本実施の形態では、第１の接続部１０３に落下防止ワイヤ１０４の他端が接続されると、内部配線１０５ａと内部配線１０５ｂとが導通する。すなわち、第１の接続部１０３に落下防止ワイヤ１０４の他端が接続されると、第１の検出用抵抗１３から内部配線１０５ａへ、そして内部配線１０５ａから内部配線１０５ｂへ電流が流れることが可能な経路ができる。第１の接続部１０３に落下防止ワイヤ１０４の他端が接続されていない場合は、内部配線１０５ａと内部配線１０５ｂとは導通しない。
【００２２】
したがって、図２において、第１の接続部１０３はスイッチの記号で示される。第１の接続部１０３に落下防止ワイヤ１０４の他端が接続されたとき、スイッチはＯＮ状態であり、第１の接続部１０３に落下防止ワイヤ１０４の他端が接続されていないとき、スイッチはＯＦＦ状態である。
【００２３】
本実施の形態では、落下防止ワイヤ１０４は、一端が造営材又は造営材に固定されるものに接続され、他端がＬＥＤモジュール１４の一部である第１の接続部１０３に物理的に接続する。そのため、例えば第１の配線１１０ａ及び第２の配線１１０ｂが切断され、光源１１が落下しようとしたとしても、落下防止ワイヤ１０４がＬＥＤモジュール１４を保持しているので、光源１１は落下防止ワイヤ１０４によって支持される。すなわち、例えば第１の配線１１０ａ及び第２の配線１１０ｂが切断され光源１１が落下しようとしたとしても、光源１１は落下防止ワイヤ１０４によって床等に落ちることが物理的に防止される。
【００２４】
本実施の形態では、第１の接続部１０３は、内部配線１０５ａと内部配線１０５ｂとをまとめる雄又は雌のコネクター端子であるとしたが、これに限られることはない。例えば、内部配線１０５ａの第１の検出用抵抗１３の一端と接続していない側が接続された箇所と、内部配線１０５ｂのＬＥＤ素子１１ａのカソード側と接続していない側が接続された箇所とを含む領域を、プリント基板上に第１の接続部１０３として設けてもよい。そして、プリント基板上の第１の接続部１０３に落下防止ワイヤ１０４の他端が接続されると、内部配線１０５ａと内部配線１０５ｂとが導通するようにしてもよい。
【００２５】
その他に、例えば、一方に２つの第１の雌端子を有し、他方に１つの第２の雌端子を有するコネクター配線を第１の接続部１０３としてもよい。この場合、内部配線１０５ａの第１の検出用抵抗１３の一端と接続していない側と、内部配線１０５ｂのＬＥＤ素子１１ａのカソード側と接続していない側とに、第１の接続部１０３の第１の雌端子と対になる雄端子をそれぞれ設け、落下防止ワイヤ１０４の他端にも、第１の接続部１０３の第２の雌端子と対になる雄端子を設ける。そして、内部配線１０５ａの雄端子と一方の第１の雌端子とを、内部配線１０５ｂの雄端子と他方の第１の雌端子とを、落下防止ワイヤ１０４の雄端子と第２の雌端子とを接続し、内部配線１０５ａと内部配線１０５ｂとを導通させてもよい。
【００２６】
本実施の形態において第１の接続部１０３は、落下防止ワイヤ１０４の他端が接続された場合に、第１の検出用抵抗１３から内部配線１０５ａへ、そして内部配線１０５ａから内部配線１０５ｂへ電流が流れることが可能な経路ができるようにし、落下防止ワイヤ１０４の他端が接続されていない場合には、内部配線１０５ａと内部配線１０５ｂとを導通させないようにするものであればよい。
【００２７】
ここで、図１において、第１の接続部１０３は、本体カバー部１０１の上部に設けられた開口の位置にあるが、本体カバー部１０１と光透過性カバー部１０２とで囲まれる空間内にあってもよく、特に限定されない。
【００２８】
本実施の形態において、落下防止ワイヤ１０４の他端が第１の接続部１０３に物理的に接続されることにより、落下防止ワイヤ１０４の他端は内部配線１０５ａと内部配線１０５ｂと第１の検出用抵抗１３とを介して光源１１に物理的に接続される。つまり、本実施の形態において、落下防止ワイヤ１０４の他端は第１の接続部１０３に物理的に接続可能であるとは、落下防止ワイヤ１０４の他端は光源１１に物理的に接続可能であることを示す。
【００２９】
図２を用いて、本発明の実施の形態１にかかる照明器具１００の回路について、さらに説明する。本実施の形態にかかる照明器具１００が備える点灯装置１は、直流電源２と、バックコンバータ回路３と、制御装置４０と、接続検出回路２４と、ＨＶＩＣ（Ｈｉｇｈ  Ｖｏｌｔａｇｅ  Ｉｎｔｅｇｒａｔｅｄ  Ｃｉｒｃｕｉｔ）１８と、調光信号インターフェース回路４３と、制御電源生成回路７と、通信部４４とを備える。図２において、本実施の形態にかかる照明器具１００が備える点灯装置１のうち、直流電源２は一点鎖線で囲まれ、バックコンバータ回路３は二点鎖線で囲まれ、接続検出回路２４は破線で囲まれる。
【００３０】
直流電源２は、例えば昇圧チョッパ回路で構成され、整流回路５と、整流回路５に並列に接続された第１のコンデンサー６とを有する。整流回路５は、交流電源４に接続し、交流電源４から印加される交流電圧を全波整流して脈流電圧を出力する。第１のコンデンサー６は、整流回路５から出力された脈流電圧を平滑して直流電圧を出力する。
【００３１】
直流電源２は、整流回路５及び第１のコンデンサー６に並列に接続された第１の分圧回路と、第１の分圧回路に並列に接続された第１のスイッチング素子Ｑ１とをさらに有する。第１の分圧回路は、第１の分圧抵抗３１と第２の分圧抵抗３２とが直列に接続されたものである。本実施の形態では、第１のスイッチング素子Ｑ１は、ＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）とするが、ＩＧＢＴ（Ｉｎｓｕｌａｔｅｄ  Ｇａｔｅ  Ｂｉｐｏｌａｒ  Ｔｒａｎｓｉｓｔｏｒ）であってもよい。
【００３２】
直流電源２は、第１の分圧回路の高電位側と第１のスイッチング素子Ｑ１との間に接続された第１のインダクタ１０をさらに有する。詳細に説明すると、第１のインダクタ１０は、整流回路５の高電位側（整流回路５の出力側）と第１のコンデンサー６の高電位側（第１のコンデンサー６の正極側）と第１の分圧回路の高電位側とに一端が接続され、第１のスイッチング素子Ｑ１のドレイン端子に他端が接続される。
【００３３】
直流電源２は、第１のスイッチング素子Ｑ１に並列に接続された第２の分圧回路と、第２の分圧回路に並列に接続された電解コンデンサー８とをさらに有する。第２の分圧回路は、第３の分圧抵抗１５と第４の分圧抵抗１６とが直列に接続されたものである。直流電源２は、第２の分圧回路と電解コンデンサー８との間に接続された第１のダイオード１２をさらに有する。第１のダイオード１２は、第２の分圧回路の高電位側と第１のスイッチング素子Ｑ１のドレイン端子と第１のインダクタ１０の他端とにアノード側が接続され、電解コンデンサー８の高電位側（電解コンデンサー８の正極側）にカソード側が接続される。
【００３４】
なお、直流電源２において、整流回路５の低電位側と、第１のコンデンサー６の低電位側（第１のコンデンサー６の負極側）と、第１の分圧回路の低電位側と、第１のスイッチング素子Ｑ１のソース端子と、第２の分圧回路の低電位側と、電解コンデンサー８の低電位側（電解コンデンサー１２の負極側）とが接続される。
【００３５】
本実施の形態では、第１のコンデンサー６の両端電圧は、第１の分圧抵抗３１と第２の分圧抵抗３２を用いて分圧され、制御装置４０に入力される。そのため、第１の分圧抵抗３１と第２の分圧抵抗３２との間から制御装置４０へ繋がる配線がある。また、電解コンデンサー８の両端電圧は、第３の分圧抵抗１５と第４の分圧抵抗１６を用いて分圧され、制御装置４０に入力される。そのため、第３の分圧抵抗１５と第４の分圧抵抗１６との間から制御装置４０へ繋がる配線がある。第２の分圧回路は、直流電源２の出力端に設けられており、第３の分圧抵抗１５と第４の分圧抵抗１６を用いて分圧された電解コンデンサー８の両端電圧は、直流電源２の出力電圧に比例した値（以下、昇圧検出電圧と呼ぶこととする）である。第２の分圧回路は、昇圧検出電圧を検出でき、制御装置４０に昇圧検出電圧を入力できる構成であれば、他の構成としてもよい。なお、第１のスイッチング素子Ｑ１のゲート端子は、制御装置４０に接続する。
【００３６】
次に、バックコンバータ回路３について説明する。バックコンバータ回路３は、直流電源２の電解コンデンサー８に並列に接続された第２のダイオード２１と、電解コンデンサー８の高電位側と第２のダイオード２１のカソード側との間に接続された第２のスイッチング素子Ｑ２とを有する。本実施の形態では、第２のスイッチング素子Ｑ２は、ＭＯＳＦＥＴとするが、ＩＧＢＴであってもよい。第２のスイッチング素子Ｑ２は、ドレイン端子が電解コンデンサー８の高電位側に接続し、ソース端子が第２のダイオード２１のカソード側に接続する。
【００３７】
バックコンバータ回路３は、第２のダイオード２１に並列に接続された第２のコンデンサー９と、第２のコンデンサー９に並列に接続された負荷検出回路２５をさらに有する。負荷検出回路２５は、第５の分圧抵抗５１と第６の分圧抵抗５２とを直列に接続したものである。バックコンバータ回路３は、第２のダイオード２１のカソード側と第２のコンデンサー９の高電位側（第２のコンデンサー９の正極側）との間に接続された第２のインダクタ２２をさらに有する。第２のインダクタ２２は、第２のスイッチング素子Ｑ２のソース端子と第２のダイオード２１のカソード側とに一端が接続され、第２のコンデンサー９の高電位側と負荷検出回路２５の高電位側とに他端が接続される。
【００３８】
本実施の形態では、第２のコンデンサー９の両端電圧は、第５の分圧抵抗５１と第６の分圧抵抗５２を用いて分圧され、制御装置４０に入力される。そのため、第５の分圧抵抗５１と第６の分圧抵抗５２との間から制御装置４０へ繋がる配線がある。
【００３９】
バックコンバータ回路３は、第２のダイオード２１のアノード側と第２のコンデンサー９の低電位側（第２のコンデンサー９の負極側）との間に接続された第２の検出用抵抗２３をさらに有する。第２の検出用抵抗２３は、ＬＥＤモジュール１４に流れるＬＥＤ電流Ｉに応じた電圧（以下、ＬＥＤ電流検出電圧と呼ぶこととする）を検出し、ＬＥＤ電流検出電圧は、制御装置４０に入力される。
【００４０】
本実施の形態にかかる照明器具１００の回路では、直流電源２の整流回路５、第１のコンデンサー６、第１の分圧回路、第１のスイッチング素子Ｑ１、第２の分圧回路及び電解コンデンサー８と、バックコンバータ回路３の第２のダイオード２１、第２のコンデンサー９及び負荷検出回路２５と、ＬＥＤモジュール１４の光源１１及び第１の検出用抵抗１３とが並列になるように、直流電源２とバックコンバータ回路３とＬＥＤモジュール１４とが接続される。
【００４１】
図２に示すように、第２のスイッチング素子Ｑ２のゲート端子は、ＨＶＩＣ１８に接続し、ＨＶＩＣ１８は、制御装置４０に接続する。ＨＶＩＣ１８は、高電圧回路に接続された第２のスイッチング素子Ｑ２を制御するためのＩＣである。ＨＶＩＣ１８は、制御装置４０からの信号に基づき、第２のスイッチング素子Ｑ２のスイッチングを制御する。ＨＶＩＣ１８には、第３のコンデンサー１７が並列に接続され、ＨＶＩＣ１８と第３のコンデンサー１７の一端との間は、グラウンドに接続する。
【００４２】
接続検出回路２４は、直列接続された第７の抵抗１９及び第８の抵抗２０と、第７の抵抗１９と第８の抵抗２０の接続点とグラウンドの間にツェナーダイオードＺ１とを有する。接続検出回路２４は、第２のスイッチング素子Ｑ２と並列に接続する。
【００４３】
接続検出回路２４は、第２のスイッチング素子Ｑ２がＯＦＦ状態を維持している場合、すなわち、第２のスイッチング素子Ｑ２がＨＶＩＣ１８によるスイッチングを行っていない場合に、第２のスイッチング素子Ｑ２をバイパスして、光源１１側に電流を供給するものである。光源１１側に供給された電流は、負荷検出回路２５と、光源１１とに分かれて流れ、条件によって、第１の検出用抵抗１３にも流れる。
【００４４】
制御装置４０の電源及びＨＶＩＣ１８用の電源は、直流電源２の出力側に接続された制御電源生成回路７より入力される。制御電源生成回路７は、直流電源２にて整流及び昇圧された出力電圧を基に、制御装置４０用の電源及びＨＶＩＣ１８用の電源を生成して出力する。
【００４５】
点灯装置１とＬＥＤモジュール１４とは、点灯装置１から光源１１へ向かう方向に電流が流れる第１の配線１１０ａと、光源１１から点灯装置１へ向かう方向に電流が流れる第２の配線１１０ｂとを用いて接続される。第１の配線１１０ａは、図２において、点灯装置１から光源１１へ向かう方向に電流が流れる導線のうち、点灯装置１とＬＥＤモジュール１４との間を示す。第２の配線１１０ｂは、図２において、光源１１から点灯装置１へ向かう方向に電流が流れる導線のうち、点灯装置１とＬＥＤモジュール１４との間を示す。第１の配線１１０ａ及び第２の配線１１０ｂは、図１に示す外部配線１１０を構成し、１本のケーブルにまとめられる。
【００４６】
本実施の形態にかかる照明器具１００は、調光器４２と、調光信号インターフェース回路４３（以下、調光信号Ｉ／Ｆ回路４３と呼ぶこととする）とをさらに備える。制御装置４０には、調光器４２（例えば、コントローラーである）から送信される調光制御信号が調光信号Ｉ／Ｆ回路４３を介して入力される。制御装置４０は、調光信号Ｉ／Ｆ回路４３を介して入力された調光制御信号に基づいて、光源１１のＬＥＤ素子１１ａの調光率を設定する。
【００４７】
制御装置４０は、例えば、デジタル電源制御装置として提供されるマイコンであるが、ＤＳＰ（Ｄｉｇｉｔａｌ  Ｓｉｇｎａｌ  Ｐｒｏｃｅｓｓｏｒ）等の演算装置で構成してもよい。制御装置４０は、記憶部と、判断部と、処理部と、第１のスイッチング素子Ｑ１へ制御信号を出力する第１の制御回路と、第２のスイッチング素子Ｑ２へ制御信号を出力する第２の制御回路と、Ａ／Ｄ変換回路（Ａｎａｌｏｇ／Ｄｉｇｉｔａｌ変換回路）とを有する。記憶部は、例えば、不揮発性メモリ等から構成され、第２のインダクタ２２のインダクタンス値や、第２のダイオード２１の順方向電圧値や、バックコンバータ回路３の回路効率等の各種データを記憶している。記憶部に対しては、外部からのデータの書き込みや読み出しが行われる。
【００４８】
判断部は、制御装置４０に入力された昇圧検出電圧と予め記憶部に記憶された目標電圧とを比較し、昇圧検出電圧と予め記憶部に記憶された目標電圧のどちらの電圧が高いか、低いか又は同じであるかを判定する。判断部が、昇圧検出電圧と予め記憶部に記憶された目標電圧とが異なる（昇圧検出電圧と予め記憶部に記憶された目標電圧のどちらか一方が高い又は低い）と判断した場合、昇圧検出電圧と予め記憶部に記憶された目標電圧とが一致するように、第１のスイッチング素子Ｑ１はスイッチングが調整される。
【００４９】
第１のスイッチング素子Ｑ１のスイッチングの調整は、まず、処理部が、昇圧検出電圧と予め記憶部に記憶された目標電圧とが一致するような第１のスイッチング素子Ｑ１のＯＮ時間を算出する。そして、第１の制御回路から、処理部が算出した第１のスイッチング素子Ｑ１のＯＮ時間に基づいた制御信号であるＰＷＭ（Ｐｕｌｓｅ  Ｗｉｄｔｈ  Ｍｏｄｕｌａｔｉｏｎ）信号を第１のスイッチング素子Ｑ１へ出力する。第１のスイッチング素子Ｑ１は、処理部が算出した第１のスイッチング素子Ｑ１のＯＮ時間に基づいたＰＷＭ信号に従ってスイッチングをすることで、昇圧検出電圧と予め記憶部に記憶された目標電圧とが一致するように、スイッチングが調整される。つまり、制御装置４０は、直流電源２に対して、定電圧制御を行う。
【００５０】
さらに、判断部は、第２の検出用抵抗２３によって検出されたＬＥＤ電流検出電圧に基づいたＬＥＤ電流Ｉと、調光器４２から調光信号Ｉ／Ｆ回路４３を介して入力された調光制御信号に基づいた目標電流とを比較する。判断部が、ＬＥＤ電流Ｉと調光制御信号に基づいた目標電流とが異なると判断した場合、ＬＥＤ電流Ｉと調光制御信号に基づいた目標電流とが一致するように、第２のスイッチング素子Ｑ２はスイッチングが調整される。
【００５１】
第２のスイッチング素子Ｑ２のスイッチングの調整は、まず、処理部が、ＬＥＤ電流Ｉと調光制御信号に基づいた目標電流とが一致するように、第２のスイッチング素子Ｑ２のＯＮ時間を算出する。この時、処理部は、記憶部から第２のインダクタ２２のインダクタンス値と、第２のダイオード２１の順方向電圧値と、バックコンバータ回路３の回路効率とを読み込む。そして、記憶部から読み込んだこれらの値と、制御装置４０に入力された昇圧検出電圧と、ＬＥＤ電流Ｉと、第５の分圧抵抗５１と第６の分圧抵抗５２を用いて分圧された第２のコンデンサー９の両端電圧（バックコンバータ回路３の出力電圧に比例した値）とに基づいて、処理部は第２のスイッチング素子Ｑ２のＯＮ時間を算出する。
【００５２】
そして、第２の制御回路から、処理部が算出した第２のスイッチング素子Ｑ２のＯＮ時間に基づいた制御信号であるＰＷＭ信号をＨＶＩＣ１８へ出力する。ＨＶＩＣ１８は、処理部が算出した第２のスイッチング素子Ｑ２のＯＮ時間に基づいたＰＷＭ信号に基づいて、第２のスイッチング素子Ｑ２のスイッチングを制御する。これにより、第２のスイッチング素子Ｑ２は、ＬＥＤ電流Ｉと調光制御信号に基づいた目標電流とが一致するように、スイッチングが調整される。つまり、制御装置４０は、ＬＥＤモジュール１４に対して、定電流制御を行う。
【００５３】
さらに、判断部は、負荷検出回路２５で検出された電圧と、予め記憶部に記憶された基準電圧とを比較して、所定の光源１１が点灯装置１に接続しているか否かを判断する。本実施の形態では、所定の光源１１が点灯装置１に接続していると判断部が判断した場合に、第２のスイッチング素子Ｑ２のスイッチングが開始される。すなわち、本実施の形態では、直流電源２がＯＮ状態に切り替わっても、すぐに第２のスイッチング素子Ｑ２のスイッチングが開始されるわけではなく、直流電源２のＯＦＦ状態からＯＮ状態への切り替えに、第２のスイッチング素子Ｑ２のスイッチングの開始は連動していない。本実施の形態において、所定の光源１１が点灯装置１に接続しているか否かの判断は、第２のスイッチング素子Ｑ２がＯＦＦ状態の時に行われる。
【００５４】
本実施の形態において、光源１１は第１の検出用抵抗１３と同じ基板上に構成されているので、光源１１が点灯装置１に接続している場合は、第１の検出用抵抗１３も点灯装置１に接続し、光源１１が点灯装置１に接続していない場合は、第１の検出用抵抗１３も点灯装置１に接続していない。したがって、光源１１が点灯装置１に接続していない場合に、第２のスイッチング素子Ｑ２をバイパスして接続検出回路２４を通り光源１１側に流れた電流は、負荷検出回路２５には流れるが、光源１１及び第１の検出用抵抗１３には流れない。一方、光源１１が点灯装置１に接続している場合に、第２のスイッチング素子Ｑ２をバイパスして接続検出回路２４を通り光源１１側に流れた電流は、負荷検出回路２５と、光源１１と、第１の検出用抵抗１３とに分かれて流れる。
【００５５】
つまり、光源１１が点灯装置１に接続している場合と、光源１１が点灯装置１に接続していない場合とで、負荷検出回路２５に流れる電流の値を比較すると、光源１１が点灯装置１に接続している場合の方が、負荷検出回路２５に流れる電流の値が小さい。また、点灯装置１に光源が接続していても、その光源が所定のものでない場合、負荷検出回路２５に流れる電流の値は、所定の光源１１が点灯装置１に接続している場合に負荷検出回路２５に流れる電流の値とは異なるので、判断部は、負荷検出回路２５で検出された電圧と、予め記憶部に記憶された基準電圧とを比較して、所定の光源１１が点灯装置１に接続しているか否かを判断することができる。
【００５６】
なお、制御装置４０に入力された電圧等は、Ａ／Ｄ変換回路によってデジタル値に変換されてから、処理部における様々な算出に用いられる。
【００５７】
次に、落下防止ワイヤ１０４の他端と第１の接続部１０３との接続状態を判断する方法について説明する。落下防止ワイヤ１０４の他端と第１の接続部１０３との物理的な接続状態は、制御装置４０が有する判断部によって判断される。判断部は、落下防止ワイヤ１０４の他端と第１の接続部１０３との物理的な接続状態に応じて変化する照明回路内の検出電圧値に基づいて、落下防止ワイヤ１０４の他端と第１の接続部１０３との接続状態を判断する。
【００５８】
詳細に説明すると、判断部は、負荷検出回路２５で検出される光源１１の両端電圧Ａに基づいた検出値と、予め記憶部に記憶された閾値Ｖｔｈ１とを比較して、落下防止ワイヤ１０４の他端と第１の接続部１０３との接続状態を判断する。本実施の形態において、落下防止ワイヤ１０４の他端と第１の接続部１０３との物理的な接続状態に応じて変化する照明回路内の検出電圧値とは、負荷検出回路２５で検出される光源１１の両端電圧Ａに基づいた検出値である。また、本実施の形態において負荷検出回路２５で検出される光源１１の両端電圧Ａに基づいた検出値とは、第５の分圧抵抗５１と第６の分圧抵抗５２とで分圧されて制御装置４０に入力された電圧値である。
【００５９】
さらに詳細に説明すると、判断部は、負荷検出回路２５で検出される光源１１の両端電圧Ａに基づいた検出値と、予め記憶部に記憶された閾値Ｖｔｈ１とを比較して、負荷検出回路２５で検出される検出値が、予め記憶部に記憶された閾値Ｖｔｈ１未満の場合、落下防止ワイヤ１０４の他端は第１の接続部１０３とは接続していると判断する。一方、負荷検出回路２５で検出される検出値が、予め記憶部に記憶された閾値Ｖｔｈ１以上の場合、判断部は、落下防止ワイヤ１０４の他端は第１の接続部１０３と接続していないと判断する。ここで、本実施の状態では、落下防止ワイヤ１０４の他端と第１の接続部１０３とが接触している状態であっても（例えば、落下防止ワイヤ１０４の他端が外れかかっている状態）、負荷検出回路２５で検出される検出値が予め記憶部に記憶された閾値Ｖｔｈ１以上の場合は、判断部は、落下防止ワイヤ１０４の他端は第１の接続部１０３と接続していないと判断する。
【００６０】
本実施の形態にかかる照明器具１００の制御装置４０は、判断部によって判断された落下防止ワイヤ１０４の他端と第１の接続部１０３との接続状態に応じて報知手段に制御信号を出力する。本実施の形態では、制御装置４０は、判断部が落下防止ワイヤ１０４の他端と第１の接続部１０３とは接続していると判断した場合に、報知手段に制御信号を出力する。報知手段ついては、後述する。
【００６１】
図３は、本発明の実施の形態１にかかる照明器具１００が備える点灯装置１の負荷検出回路２５で検出される電圧を示したグラフである。図３は、縦軸が負荷検出回路２５で検出される電圧Ｖを示し、横軸が経過時間Ｔを示す。グラフＣ１は、落下防止ワイヤ１０４の他端が第１の接続部１０３に接続している場合を示し、グラフＮ１は、落下防止ワイヤ１０４の他端が第１の接続部１０３に接続していない場合を示す。
【００６２】
まず、落下防止ワイヤ１０４の他端が、第１の接続部１０３に接続している場合、図３のグラフＣ１について説明する。上述したように、第１の接続部１０３に落下防止ワイヤ１０４の他端が接続されると、内部配線１０５ａと内部配線１０５ｂとが導通し、第１の検出用抵抗１３から内部配線１０５ａへ、そして内部配線１０５ａから内部配線１０５ｂへ電流が流れることが可能な経路ができる。以下では、落下防止ワイヤ１０４の他端が第１の接続部１０３に接続されている状態を第１の導通状態と呼ぶこととする。
【００６３】
第１の導通状態において、点灯装置１の直流電源２に電力が供給された状態（直流電源２がＯＮ状態）となると、交流電源４から供給された電流は、整流回路５を通って、第１のインダクタ１０に流れ、次に第１のダイオード１２を流れる。そして、本実施の形態では、交流電源４から供給された電流は、第２のスイッチング素子Ｑ２がＯＦＦ状態にあるので、第２のスイッチング素子Ｑ２をバイパスして接続検出回路２４に流れる。次に、交流電源４から供給された電流は、第２のインダクタ２２を流れたあと、第２のコンデンサー９と、負荷検出回路２５と、光源１１と、第１の検出用抵抗１３とに分かれて流れる。
【００６４】
なお、本実施の形態では、判断部による落下防止ワイヤ１０４の他端と第１の接続部１０３との接続状態の判断は、制御装置４０がＨＶＩＣ１８を介して第２のスイッチング素子Ｑ２にスイッチングを開始させる信号を出力していない状態の時、すなわち第２のスイッチング素子Ｑ２がスイッチングをしておらず、ＯＦＦ状態を維持している時に行われる。また、判断部による落下防止ワイヤ１０４の他端と第１の接続部１０３との接続状態の判断は、所定の光源１１が点灯装置１に接続しているか否かの判断よりもあとに行ってもよいし、同時に行ってもよい。
【００６５】
制御装置４０の判断部は、直流電源２をＯＮ状態としてから所定の時間ｔ１（例えば、１．０秒）経過した時に、負荷検出回路２５で検出された検出値と、予め記憶部に記憶された閾値Ｖｔｈ１とを比較して、負荷検出回路２５で検出された検出値が、予め記憶部に記憶された閾値Ｖｔｈ１未満の場合、落下防止ワイヤ１０４の他端は第１の接続部１０３と接続していると判断する。そして、制御装置４０は、判断部が落下防止ワイヤ１０４の他端は第１の接続部１０３と接続していると判断した場合に、ＨＶＩＣ１８に対して、第２のスイッチング素子Ｑ２のスイッチングを開始させるための信号を出力する。ＨＶＩＣ１８は、制御装置４０からの信号に基づいて、第２のスイッチング素子Ｑ２のスイッチングを開始させる。
【００６６】
図３において、第２のスイッチング素子Ｑ２のスイッチングが開始した点が、直流電源２をＯＮ状態としてからｔ２（例えば、１．１５秒）経過した時である。図３のグラフＣ１に示すように、第２のスイッチング素子Ｑ２のスイッチングが開始したことによって、負荷検出回路２５に印加される電圧が急激に上昇する。負荷検出回路２５に印加される電圧が上昇するとともに、光源１１と、第１の検出用抵抗１３とに印加される電圧も上昇する。光源１１に印加される電圧が点灯電圧に達すると、光源１１は点灯し、制御装置４０はＬＥＤモジュール１４に対して定電流制御を行うので、光源１１に印加される電圧は一定になる。図３において、光源１１に印加される電圧が点灯電圧に達した時、負荷検出回路２５に印加される電圧はＶｆ１である。光源１１に印加される電圧は一定になると、図３のグラフＣ１に示すように、負荷検出回路２５に印加される電圧も一定になる。
【００６７】
つまり、本実施の形態において、判断部が落下防止ワイヤ１０４の他端が第１の接続部１０３と接続していると判断した場合に、制御装置４０は、光源１１に対して、点灯せよという信号を出力していることとなる。すなわち、本実施の形態において、報知手段とは光源１１である。
【００６８】
一方、落下防止ワイヤ１０４の他端が、第１の接続部１０３に接続していない場合、図３のグラフＮ１について説明する。上述したように、第１の接続部１０３に落下防止ワイヤ１０４の他端が接続していない場合は、内部配線１０５ａと内部配線１０５ｂとは導通しない。すなわち、第１の接続部１０３に落下防止ワイヤ１０４の他端が接続していない場合は、図２において第１の接続部１０３として示されるスイッチがＯＦＦ状態である。以下では、落下防止ワイヤ１０４の他端が第１の接続部１０３に接続していない状態を第１の不通状態と呼ぶ。
【００６９】
第１の不通状態において、点灯装置１の直流電源２に電力が供給された状態となると、交流電源４から供給された電流は、整流回路５を通って、第１のインダクタ１０に流れ、次に第１のダイオード１２を流れる。そして、交流電源４から供給された電流は、第２のスイッチング素子Ｑ２がＯＦＦ状態にあるので、第２のスイッチング素子Ｑ２をバイパスして接続検出回路２４に流れる。次に、交流電源４から供給された電流は、第２のインダクタ２２を流れたあと、第２のコンデンサー９と、負荷検出回路２５と、光源１１とに分かれて流れる。上述したように、落下防止ワイヤ１０４の他端が第１の接続部１０３に接続していない場合、第１の接続部１０３として示されるスイッチはＯＦＦ状態であるので、第１の検出用抵抗１３に電流は流れない。
【００７０】
制御装置４０の判断部は、直流電源２をＯＮ状態としてから所定の時間ｔ１（例えば、１．０秒）経過したとき、負荷検出回路２５で検出された検出値と、予め記憶部に記憶された閾値Ｖｔｈ１とを比較して、負荷検出回路２５で検出された検出値が、予め記憶部に記憶された閾値Ｖｔｈ１以上の場合、落下防止ワイヤ１０４の他端は第１の接続部１０３と接続していないと判断する。判断部が落下防止ワイヤ１０４の他端は第１の接続部１０３と接続していないと判断した場合は、制御装置４０は、ＨＶＩＣ１８に対して、第２のスイッチング素子Ｑ２のスイッチングを開始させるための信号を出力しない。すなわち、ＨＶＩＣ１８は第２のスイッチング素子Ｑ２のスイッチングを開始させないので、図３のグラフＮ１に示すように、直流電源２をＯＮ状態としてから時間ｔ２が経過しても、負荷検出回路２５に印加される電圧は、ほとんど変わらない。
【００７１】
したがって、光源１１に印加される電圧が点灯電圧に達することがないので、本実施の形態では、落下防止ワイヤ１０４の他端が第１の接続部１０３に接続していないと、光源１１は点灯しない。つまり、本実施の形態において、判断部が落下防止ワイヤ１０４の他端が第１の接続部１０３と接続していないと判断した場合、制御装置４０は、光源１１に対して、何も信号を出力していないこととなる。
【００７２】
本実施の形態において、制御装置４０の判断部は、直流電源２をＯＮ状態としてから所定の時間ｔ１経過したときに、負荷検出回路２５で検出された電圧と、予め記憶部に記憶された閾値Ｖｔｈ１とを比較して、落下防止ワイヤ１０４の他端と第１の接続部１０３との接続状態を判断する。この時間ｔ１は、判断部が落下防止ワイヤ１０４の他端と第１の接続部１０３との接続状態を判断するのに必要な電圧を、負荷検出回路２５から得られる時間であればよい。
【００７３】
本実施の形態では、判断部が落下防止ワイヤ１０４の他端は第１の接続部１０３と接続していると判断した場合に、第２のスイッチング素子Ｑ２のスイッチングが開始する。そして、光源１１に印加される電圧が点灯電圧に達すると、光源１１は点灯する。そのため、直流電源２をＯＮ状態としてから、判断部が落下防止ワイヤ１０４の他端と第１の接続部１０３との接続状態を判断するまでの時間が長くなってしまうと、落下防止ワイヤ１０４の他端が第１の接続部１０３と接続していても、光源１１が点灯しない時間が長くなってしまう。
【００７４】
本実施の形態では、落下防止ワイヤ１０４の他端が第１の接続部１０３と接続していない場合は、光源１１は点灯しないので、落下防止ワイヤ１０４の他端が第１の接続部１０３と接続しているのにも関わらず、光源１１が点灯しない時間が長くなってしまうと、落下防止ワイヤ１０４の他端は第１の接続部１０３と接続していないと勘違いしてしまう可能性がある。したがって、所定の時間ｔ１は、落下防止ワイヤ１０４の他端が第１の接続部１０３と接続している場合に、光源１１の点灯が、落下防止ワイヤ１０４の他端と第１の接続部１０３とが接続していないと勘違いしてしまうほど遅くならない時間であることが好ましい。
【００７５】
本実施の形態において、制御装置４０の判断部は、負荷検出回路２５で検出される光源１１の両端電圧Ａに基づいた検出値と、予め記憶部に記憶された閾値Ｖｔｈ１とを比較して、落下防止ワイヤ１０４の他端と第１の接続部１０３との接続状態を判断する。予め記憶部に記憶された閾値Ｖｔｈ１は、計算又は実験によって求められ、記憶部に記憶されている。
【００７６】
まず、落下防止ワイヤ１０４の他端が第１の接続部１０３に接続している状態、すなわち第１の接続部１０３として示されるスイッチがＯＮ状態、かつ、第２のスイッチング素子Ｑ２がＯＦＦ状態を維持している状態において、負荷検出回路２５で検出される電圧を計算又は実機を用いた実験によって求め、本実施の形態にかかる照明器具１００の回路が有する部品ばらつきのマージンを持って、下限値を求める。さらに、落下防止ワイヤ１０４の他端が第１の接続部１０３に接続していない状態、すなわち第１の接続部１０３として示されるスイッチがＯＦＦ状態、かつ、第２のスイッチング素子Ｑ２がＯＦＦ状態を維持している状態において、負荷検出回路２５で検出される電圧を計算又は実機を用いた実験によって求め、本実施の形態にかかる照明器具１００の回路が有する部品ばらつきのマージンを持って、上限値を求める。閾値Ｖｔｈ１は、計算又は実機を用いた実験に基づいて求められた下限値及び上限値の範囲内に設定される。
【００７７】
なお、ＨＶＩＣ１８の仕様によっては、ＨＶＩＣ１８から第２のスイッチング素子Ｑ２のゲート端子へ流れる漏れ電流を利用して、所定の光源１１が点灯装置１に接続しているか否か、及び落下防止ワイヤ１０４の他端が第１の接続部１０３に接続しているか否かを判断してもよい。ＨＶＩＣ１８から第２のスイッチング素子Ｑ２のゲート端子へ流れる漏れ電流を利用する場合、接続検出回路２４を省略することができる。
【００７８】
ＨＶＩＣ１８には、仕様によって、ＨＶＩＣ１８から第２のスイッチング素子Ｑ２のゲート端子に漏れ電流が流れるものが存在する。つまり、制御電源生成回路７から供給される制御電源によりＨＶＩＣ１８が動作すると（スタンバイ状態となると）、ＨＶＩＣ１８から第２のスイッチング素子Ｑ２のゲート端子へ漏れ電流が流れるのである。ＨＶＩＣ１８の仕様によるものなので、ＨＶＩＣ１８から第２のスイッチング素子Ｑ２のゲート端子へ漏れ電流が流れないものも存在する。
【００７９】
所定の光源１１が点灯装置１に接続していない場合に、ＨＶＩＣ１８から第２のスイッチング素子Ｑ２のゲート端子へ流れた漏れ電流は、負荷検出回路２５には流れるが、光源１１及び第１の検出用抵抗１３には流れない。同様に、落下防止ワイヤ１０４の他端が第１の接続部１０３と接続していない場合に、ＨＶＩＣ１８から第２のスイッチング素子Ｑ２のゲート端子へ流れた漏れ電流は、負荷検出回路２５と光源１１とに分かれて流れるが、第１の検出用抵抗１３には流れない。
【００８０】
一方、所定の光源１１が点灯装置１に接続している場合に、ＨＶＩＣ１８から第２のスイッチング素子Ｑ２のゲート端子へ流れた漏れ電流は、負荷検出回路２５と、光源１１と、第１の検出用抵抗１３とに分かれて流れる。同様に、落下防止ワイヤ１０４の他端が第１の接続部１０３に接続している場合に、ＨＶＩＣ１８から第２のスイッチング素子Ｑ２のゲート端子へ流れた漏れ電流は、負荷検出回路２５と、光源１１と、第１の検出用抵抗１３とに分かれて流れる。
【００８１】
つまり、判断部は、ＨＶＩＣ１８からの漏れ電流があったことによって負荷検出回路２５で検出された電圧と、予め記憶部に記憶された基準電圧とを比較して、所定の光源１１が点灯装置１に接続しているか否かを判断することができる。また、ＨＶＩＣ１８からの漏れ電流があったことによって負荷検出回路２５で検出された検出値と、予め記憶部に記憶された閾値Ｖｔｈ１とを比較して、落下防止ワイヤ１０４の他端が第１の接続部１０３に接続しているか否かを判断することができる。ただし、接続検出回路２４を省略できるのは、負荷検出回路２５に流れるＨＶＩＣ１８からの漏れ電流の値が、所定の光源１１が点灯装置１に接続しているか否か及び落下防止ワイヤ１０４の他端が第１の接続部１０３に接続しているか否かを判断部が判断するために必要な値を超えている場合のみである。
【００８２】
さらに、本実施の形態にかかる照明器具１００の制御装置４０は、判断部が落下防止ワイヤ１０４の他端と第１の接続部１０３とは接続していないと判断した場合に、通信部４４を経由して、リモコン４５に液晶画面表示指示用の第１の表示用制御信号を送信する。リモコン４５は、液晶画面表示指示用の第１の表示用制御信号を受信すると、液晶画面に落下防止ワイヤ１０４の他端が第１の接続部１０３に接続していない旨を報知する第１のメッセージを表示する。すなわち、本実施の形態では、報知手段としてリモコン４５が光源１１に加えてさらに用いられ、制御装置４０が通信部４４を経由させてリモコン４５に出力した第１の表示用制御信号は、判断部によって判断された落下防止ワイヤ１０４の他端と第１の接続部１０３との接続状態をリモコン４５に表示させる信号である。リモコン４５は、通信部４４からの第１の表示用制御信号を受信するが、導線で接続されているわけではないので、図２において、通信部４４とリモコン４５との間は破線で示す。
【００８３】
さらに、本実施の形態にかかる照明器具１００の制御装置４０は、判断部が落下防止ワイヤ１０４の他端と第１の接続部１０３とは接続していると判断した場合に、通信部４４を経由して、リモコン４５に液晶画面表示指示用の第２の表示用制御信号を送信する。リモコン４５は、液晶画面表示指示用の第２の表示用制御信号を受信すると、液晶画面に落下防止ワイヤ１０４の他端が第１の接続部１０３に接続している旨を報知する第２のメッセージを表示する。すなわち、本実施の形態では、制御装置４０が通信部４４を経由させてリモコン４５に出力した第２の表示用制御信号は、判断部によって判断された落下防止ワイヤ１０４の他端と第１の接続部１０３との接続状態をリモコン４５に表示させる信号である。
【００８４】
なお、本実施の形態においてリモコン４５は、直流電源２のＯＮ状態とＯＦＦ状態との切り替えを指示する信号を直流電源２に、ＬＥＤ素子１１ａの調光率を指定する信号を調光器４２に送信する機能も有する。ここで、リモコン４５は、液晶画面表示指示用の第１の表示用制御信号を受信すると、液晶画面に第１のメッセージを表示するとしたが、第１のメッセージの表示としてリモコン４５に搭載させたランプを点灯させてもよい。同様に、リモコン４５は、液晶画面表示指示用の第２の表示用制御信号を受信すると、液晶画面に第２のメッセージを表示するとしたが、第２のメッセージの表示としてリモコン４５に搭載させたランプを点灯させてもよい。
【００８５】
本実施の形態において、リモコン４５は、判断部が落下防止ワイヤ１０４の他端と第１の接続部１０３とは接続していないと判断した場合には第１のメッセージを表示し、判断部が落下防止ワイヤ１０４の他端と第１の接続部１０３とは接続していると判断した場合には第２のメッセージを表示するとした。しかしながら、リモコン４５は、判断部が落下防止ワイヤ１０４の他端と第１の接続部１０３とは接続していないと判断した場合にのみ、第１のメッセージを表示するとしてもよい。すなわち、リモコン４５は、判断部が落下防止ワイヤ１０４の他端と第１の接続部１０３とは接続していると判断した場合には、何も表示しないとしてもよい。もちろん、リモコン４５は、判断部が落下防止ワイヤ１０４の他端と第１の接続部１０３とは接続していると判断した場合にのみ第２のメッセージを表示し、判断部が落下防止ワイヤ１０４の他端と第１の接続部１０３とは接続していないと判断した場合には何も表示しないとしてもよい。
【００８６】
本実施の形態では、制御装置４０内において、判断部と処理部とを独立した構成物として説明したが、判断部と処理部の両方の機能を有する一つの構成物であってもよい。本実施の形態において、制御装置４０が、上記で説明したような判断部と処理部の両方の機能を有すればよく、制御装置４０内の構成の仕方に関しては特に限定しない。また。本実施の形態では、光源１１にはＬＥＤ素子１１ａが用いられるとしたが、これに限られることはなく、光源１１は、本実施の形態にかかる照明器具１００の外部を照らすための光を発するものであればよく、蛍光灯や白熱灯等であってもよい。
【００８７】
本実施の形態では、判断部によって判断された落下防止ワイヤ１０４の他端と第１の接続部１０３との接続状態に応じて、制御装置４０が報知手段に制御信号を出力するとした。これにより、本実施の形態では、落下防止ワイヤ１０４の取り付け状況を容易に確認することができる照明器具１００を得ることができる。本実施の形態にかかる照明器具１００は、落下防止ワイヤ１０４の他端を第１の接続部１０３に接続し忘れた状態で直流電源２をＯＮ状態とすると、光源１１が点灯しない。一方、落下防止ワイヤ１０４の他端が第１の接続部１０３と接続している状態で直流電源２をＯＮ状態とすると、光源１１は点灯する。そのため、落下防止ワイヤ１０４の他端と第１の接続部１０３との接続部分を直接目で見なくても、光源１１の点灯状況を確認できる場所からであれば、落下防止ワイヤ１０４の取り付け状況を容易に確認することができる。
【００８８】
また、本実施の形態にかかる照明器具１００は、落下防止ワイヤ１０４の他端を第１の接続部１０３に接続し忘れた状態で直流電源２をＯＮ状態とすると、リモコン４５にその旨を知らせる第１のメッセージが表示される。そのため、落下防止ワイヤ１０４の他端と第１の接続部１０３との接続部分を直接目で見なくても、落下防止ワイヤ１０４の取り付け状況を容易に確認することができる。
【００８９】
さらに、本実施の形態にかかる照明器具１００は、落下防止ワイヤ１０４の他端が第１の接続部１０３に接続した状態で直流電源２をＯＮ状態とすると、リモコン４５にその旨を知らせる第２のメッセージが表示される。そのため、落下防止ワイヤ１０４の他端と第１の接続部１０３との接続部分を直接目で見なくても、落下防止ワイヤ１０４の取り付け状況を容易に確認することができる。
【００９０】
本実施の形態にかかる照明器具１００は、リモコン４５を備えるが、備えないとしてもよい。本実施の形態にかかる照明器具１００は、落下防止ワイヤ１０４の他端を第１の接続部１０３に接続し忘れた状態で直流電源２をＯＮ状態とすると、光源１１が点灯しないので、リモコン４５を備えていなくても、落下防止ワイヤ１０４の取り付け状況を容易に確認することができるからである。
【００９１】
実施の形態２．
次に、本発明の実施の形態２にかかる照明器具について説明する。本発明の実施の形態２では、本発明の実施の形態１と相違する部分について説明し、同一又は対応する部分についての説明は省略する。本発明の実施の形態２にかかる照明器具は、本発明の実施の形態１にかかる照明器具１００とは、判断部が落下防止ワイヤ１０４の他端と第１の接続部１０３との接続状態を判断するタイミングが異なる。本実施の形態では、判断部による落下防止ワイヤ１０４の他端と第１の接続部１０３との接続状態の判断は、第２のスイッチング素子Ｑ２がスイッチングを開始している状態で行われる。
【００９２】
本発明の実施の形態２にかかる照明器具の構成は、本発明の実施の形態１にかかる照明器具１００の構成と同じである。図４は、本発明の実施の形態２にかかる照明器具が備える点灯装置１の負荷検出回路２５で検出される電圧を示したグラフである。図４は、縦軸が負荷検出回路２５で検出される電圧Ｖを示し、横軸が経過時間Ｔを示す。グラフＣ２は、落下防止ワイヤ１０４の他端が第１の接続部１０３に接続している場合を示し、グラフＮ２は、落下防止ワイヤ１０４の他端が第１の接続部１０３に接続していない場合を示す。本実施の形態においても、落下防止ワイヤ１０４の他端と第１の接続部１０３との物理的な接続状態に応じて変化する照明回路内の検出電圧値、すなわち負荷検出回路２５で検出される光源１１の両端電圧Ａに基づいた検出値に基づいて、落下防止ワイヤ１０４の他端と第１の接続部１０３との接続状態を判断する。
【００９３】
まず、落下防止ワイヤ１０４の他端が、第１の接続部１０３に接続している場合、図４のグラフＣ２について説明する。本発明の実施の形態１でも述べたように、本実施の形態でも、第１の接続部１０３に落下防止ワイヤ１０４の他端が接続されると、内部配線１０５ａと内部配線１０５ｂとが導通し、第１の検出用抵抗１３から内部配線１０５ａへ、そして内部配線１０５ａから内部配線１０５ｂへ電流が流れることが可能な経路ができる。以下では、本発明の実施の形態１と同様に、落下防止ワイヤ１０４の他端が第１の接続部１０３に接続されている状態を第１の導通状態と呼ぶこととする。
【００９４】
本実施の形態では、第１の導通状態において、直流電源２がＯＮ状態となると、交流電源４から供給された電流は、整流回路５を通って、第１のインダクタ１０に流れ、次に第１のダイオード１２を流れる。そして、交流電源４から供給された電流は、第２のスイッチング素子Ｑ２と接続検出回路２４とに流れ、次に第２のインダクタ２２を流れたあと、第２のコンデンサー９と、負荷検出回路２５と、光源１１と、第１の検出用抵抗１３とに分かれて流れる。
【００９５】
本実施の形態では、直流電源２をＯＮ状態とする時に、制御装置４０は、ＨＶＩＣ１８を介して第２のスイッチング素子Ｑ２にスイッチングを開始させる信号を出力する。したがって、直流電源２がＯＮ状態となった時に、第２のスイッチング素子Ｑ２はスイッチングを開始する。すなわち、本実施の形態において、直流電源２のＯＦＦ状態からＯＮ状態への切り替えに、第２のスイッチング素子Ｑ２のスイッチングの開始が連動している。本実施の形態では、直流電源２をＯＮ状態とする時に、第２のスイッチング素子Ｑ２のスイッチングを開始させているので、図４に示すように、負荷検出回路２５に印加される電圧は、本発明の実施の形態１よりも急激に上昇する。なお、本実施の形態では、判断部による落下防止ワイヤ１０４の他端と第１の接続部１０３との接続状態の判断は、光源１１が点灯する前に行われる。
【００９６】
制御装置４０の判断部は、直流電源２をＯＮ状態としてから所定の時間ｔ３（例えば、０．４秒）経過したときに、負荷検出回路２５で検出された検出値と、予め記憶部に記憶された閾値Ｖｔｈ２とを比較して、負荷検出回路２５で検出された検出値が、予め記憶部に記憶された閾値Ｖｔｈ２未満の場合、落下防止ワイヤ１０４の他端は第１の接続部１０３と接続していると判断する。
【００９７】
判断部が落下防止ワイヤ１０４の他端は第１の接続部１０３と接続していると判断した場合、負荷検出回路２５に印加される電圧は、そのまま上昇を続ける。もちろん、負荷検出回路２５に印加される電圧が上昇するとともに、光源１１と、第１の検出用抵抗１３とに印加される電圧も上昇する。光源１１に印加される電圧が点灯電圧に達すると、光源１１は点灯する。制御装置４０は、ＬＥＤモジュール１４に対して定電流制御を行うので、光源１１が点灯したあと、光源１１に印加される電圧は一定になる。図４において、光源１１に印加される電圧が点灯電圧に達した時、負荷検出回路２５に印加される電圧はＶｆ１である。光源１１に印加される電圧は一定になると、図４のグラフＣ１に示すように、負荷検出回路２５に印加される電圧も一定になる。
【００９８】
一方、落下防止ワイヤ１０４の他端が、第１の接続部１０３に接続していない場合、図４のグラフＮ２について説明する。上述したように、第１の接続部１０３に落下防止ワイヤ１０４の他端が接続していない場合は、内部配線１０５ａと内部配線１０５ｂとは導通しない。すなわち、第１の接続部１０３に落下防止ワイヤ１０４の他端が接続していない場合は、図２において第１の接続部１０３として示されるスイッチがＯＦＦ状態である。以下では、本発明の実施の形態１と同様に、落下防止ワイヤ１０４の他端が第１の接続部１０３に接続していない状態を第１の不通状態と呼ぶ。
【００９９】
第１の不通状態において、直流電源２がＯＮ状態となると、交流電源４から供給された電流は、整流回路５を通って、第１のインダクタ１０に流れ、次に第１のダイオード１２を流れる。そして、交流電源４から供給された電流は、第２のスイッチング素子Ｑ２と接続検出回路２４とに流れ、次に第２のインダクタ２２を流れたあと、第２のコンデンサー９と、負荷検出回路２５と、光源１１とに分かれて流れる。上述したように、落下防止ワイヤ１０４の他端が第１の接続部１０３に接続していない場合、第１の接続部１０３として示されるスイッチはＯＦＦ状態であるので、第１の検出用抵抗１３に電流は流れない。
【０１００】
制御装置４０の判断部は、直流電源２をＯＮ状態としてから所定の時間ｔ３（例えば、０．４秒）経過したときに、負荷検出回路２５で検出された検出値と、予め記憶部に記憶された閾値Ｖｔｈ２とを比較して、負荷検出回路２５で検出された検出値が、予め記憶部に記憶された閾値Ｖｔｈ２以上の場合、落下防止ワイヤ１０４の他端は第１の接続部１０３と接続していないと判断する。そして、制御装置４０は、判断部が落下防止ワイヤ１０４の他端は第１の接続部１０３と接続していないと判断した場合に、ＨＶＩＣ１８に対して、第２のスイッチング素子Ｑ２のスイッチングを停止させるための信号を出力する。ＨＶＩＣ１８は、制御装置４０からの信号に基づいて、第２のスイッチング素子Ｑ２のスイッチングを停止させる。
【０１０１】
ＨＶＩＣ１８は、第２のスイッチング素子Ｑ２のスイッチングを停止させるので、図４のグラフＮ２に示すように、負荷検出回路２５に印加される電圧は、直流電源２をＯＮ状態としてからｔ３経過後に、急激に減少していく。そして、負荷検出回路２５では、第２のスイッチング素子Ｑ２を流れずに、第２のスイッチング素子Ｑ２をバイパスして接続検出回路２４を通って負荷検出回路２５に流れ込んだ電流が検出される。
【０１０２】
つまり、本実施の形態において、判断部が落下防止ワイヤ１０４の他端が第１の接続部１０３と接続していないと判断した場合に、制御装置４０は、光源１１に対して、点灯しなくて良いという信号を出力していることとなる。すなわち、本実施の形態において、報知手段とは光源１１である。
【０１０３】
本実施の形態において、制御装置４０の判断部は、直流電源２をＯＮ状態としてから所定の時間ｔ３が経過したときに、負荷検出回路２５で検出された電圧と、予め記憶部に記憶された閾値Ｖｔｈ２とを比較して、落下防止ワイヤ１０４の他端と第１の接続部１０３との接続状態を判断する。この時間ｔ３は、判断部が落下防止ワイヤ１０４の他端と第１の接続部１０３との接続状態を判断するのに必要な電圧を、負荷検出回路２５から得られる時間であり、かつ、落下防止ワイヤ１０４の他端が第１の接続部１０３と接続している場合に光源１１が点灯するまでの時間よりも短い。
【０１０４】
本実施の形態において、制御装置４０の判断部は、負荷検出回路２５で検出される光源１１の両端電圧Ａに基づいた検出値と、予め記憶部に記憶された閾値Ｖｔｈ２とを比較して、落下防止ワイヤ１０４の他端と第１の接続部１０３との接続状態を判断する。予め記憶部に記憶された閾値Ｖｔｈ２は、計算又は実験によって求められ、記憶部に記憶されている。本実施の形態では、時間ｔ３及び閾値Ｖｔｈ２の決め方は、２通りある。１つ目は、時間ｔ３を先に決めてから閾値Ｖｔｈ２を決める方法であり、２つ目は、閾値Ｖｔｈ２を先に決めてから時間ｔ３を決める方法である。
【０１０５】
まず、１つ目として、先に時間ｔ３を決めてから閾値Ｖｔｈ２を決める方法を説明する。所定の時間ｔ３は、判断部が落下防止ワイヤ１０４の他端と第１の接続部１０３との接続状態を判断するのに必要な電圧を、負荷検出回路２５から得られる時間であり、かつ、落下防止ワイヤ１０４の他端が第１の接続部１０３と接続している場合に光源１１が点灯するまでの時間よりも短い時間である。この範囲内において、時間ｔ３を決める。
【０１０６】
そして、落下防止ワイヤ１０４の他端が第１の接続部１０３に接続している状態、すなわち第１の接続部１０３として示されるスイッチがＯＮ状態、かつ、第２のスイッチング素子Ｑ２がスイッチングをしている状態において、直流電源２をＯＮ状態としてから所定の時間ｔ３が経過した時に、負荷検出回路２５で検出される電圧を計算又は実機を用いた実験によって求め、本実施の形態にかかる照明器具の回路が有する部品ばらつきのマージンを持って、上限値を求める。
【０１０７】
さらに、落下防止ワイヤ１０４の他端が第１の接続部１０３に接続していない場合、すなわち第１の接続部１０３として示されるスイッチがＯＦＦ状態、かつ、第２のスイッチング素子Ｑ２がスイッチングをしている状態において、直流電源２をＯＮ状態としてから所定の時間ｔ３が経過した時に、負荷検出回路２５で検出される電圧を計算又は実機を用いた実験によって求め、本実施の形態にかかる照明器具の回路が有する部品ばらつきのマージンを持って、下限値を求める。閾値Ｖｔｈ２は、計算又は実機を用いた実験に基づいて求められた上限値及び下限値の範囲内に設定される。
【０１０８】
次に、２つ目として、先に閾値Ｖｔｈ２をきめてから所定の時間ｔ３を決める方法を説明する。閾値Ｖｔｈ２は、光源１１が点灯した場合に、負荷検出回路２５に印加される電圧Ｖｆ１よりも小さい値であり、かつ、落下防止ワイヤ１０４の他端と第１の接続部１０３とが接続している場合と接続していない場合とで、閾値Ｖｔｈ２になった時の直流電源２をＯＮ状態としてからの経過時間にある程度の差がある値である。この範囲内において、閾値Ｖｔｈ２を決める。
【０１０９】
そして、落下防止ワイヤ１０４の他端が第１の接続部１０３に接続している状態、すなわち第１の接続部１０３として示されるスイッチがＯＮ状態、かつ、第２のスイッチング素子Ｑ２がスイッチングをしている状態において、直流電源２をＯＮ状態としてから負荷検出回路２５で閾値Ｖｔｈ２が検出されるまでの時間を計算又は実機を用いた実験によって求め、本実施の形態にかかる照明器具の回路が有する部品ばらつきのマージンを持って、下限値を求める。
【０１１０】
さらに、落下防止ワイヤ１０４の他端が第１の接続部１０３に接続していない場合、すなわち第１の接続部１０３として示されるスイッチがＯＦＦ状態、かつ、第２のスイッチング素子Ｑ２がスイッチングをしている状態において、直流電源２をＯＮ状態としてから負荷検出回路２５で閾値Ｖｔｈ２が検出されるまでの時間を計算又は実機を用いた実験によって求め、本実施の形態にかかる照明器具の回路が有する部品ばらつきのマージンを持って、上限値を求める。時間ｔ３は、計算又は実機を用いた実験に基づいて求められた上限値及び下限値の範囲内に設定される。
【０１１１】
本実施の形態では、判断部によって判断された落下防止ワイヤ１０４の他端と第１の接続部１０３との接続状態に応じて、制御装置４０が報知手段に制御信号を出力するとした。これにより、本実施の形態では、落下防止ワイヤ１０４の取り付け状況を容易に確認することができる照明器具を得ることができる。本実施の形態にかかる照明器具は、本発明の実施の形態１と同様に、落下防止ワイヤ１０４の他端を第１の接続部１０３に接続し忘れた状態で直流電源２をＯＮ状態とすると、光源１１が点灯しない。一方、落下防止ワイヤ１０４の他端が第１の接続部１０３と接続している状態で直流電源２をＯＮ状態とすると、光源１１は点灯する。そのため、落下防止ワイヤ１０４の他端と第１の接続部１０３との接続部分を直接目で見なくても、光源１１の点灯状況を確認できる場所からであれば、落下防止ワイヤ１０４の取り付け状況を容易に確認することができる。
【０１１２】
以下では、本実施の形態にかかる照明器具の変形例について説明する。上記では、判断部が落下防止ワイヤ１０４の他端が第１の接続部１０３と接続していないと判断した場合、第２のスイッチング素子Ｑ２のスイッチングが停止され、光源１１が点灯しないとしたが、本変形例では、判断部が落下防止ワイヤ１０４の他端が第１の接続部１０３と接続していないと判断した場合に、第２のスイッチング素子Ｑ２のスイッチングを制御して、光源１１を点滅させる。
【０１１３】
図５は、本発明の実施の形態２にかかる照明器具の変形例において、判断部が落下防止ワイヤ１０４の他端と第１の接続部１０３とは接続していないと判断した場合に、光源１１に流れる電流波形の例を示す図である。判断部によって落下防止ワイヤ１０４の他端は第１の接続部１０３と接続していないと判断された場合、本変形例にかかる照明器具の光源１１には、図５に示すような電流波形のＬＥＤ電流Ｉが流れる。図５の（ａ）から（ｃ）において、縦軸は光源１１を流れるＬＥＤ電流Ｉを示し、横軸は経過時間Ｔを示す。
【０１１４】
第２の制御回路は、判断部によって落下防止ワイヤ１０４の他端と第１の接続部１０３とは接続していないと判断された場合に、例えば、光源１１に流れる電流波形が図５（ａ）となるように、第２のスイッチング素子Ｑ２のスイッチングを制御する制御信号を第２のスイッチング素子Ｑ２へ出力する。すなわち、本変形例では、判断部が落下防止ワイヤ１０４の他端は第１の接続部１０３と接続していないと判断しても、第２のスイッチング素子Ｑ２のスイッチングは停止されない。
【０１１５】
光源１１に流れる電流波形が図５（ａ）のようになると、光源１１は、所定の時間間隔（例えば０．５秒間隔）の複数回（図５（ａ）を参照すると、例えば５回）の連続点滅を、所定の時間間隔（例えば２秒間隔）で複数回行うようになる。このように、本変形例では、光源１１が所定の時間間隔の複数回の連続点滅を所定の時間間隔で複数回行うことにより、落下防止ワイヤ１０４の他端が第１の接続部１０３に接続していないことを外部に報知する。つまり、本変形例において、判断部が落下防止ワイヤ１０４の他端が第１の接続部１０３と接続していないと判断した場合に、制御装置４０は、光源１１に対して、点滅せよという信号を出力していることとなる。すなわち、本変形例において、報知手段とは光源１１である。
【０１１６】
その他にも、例えば、光源１１に流れる電流波形が図５（ｂ）となるように、第２のスイッチング素子Ｑ２のスイッチングを制御する制御信号を第２のスイッチング素子Ｑ２へ出力してもよい。これにより、光源１１は、例えば１．５秒の点灯を例えば３秒間隔で行うようになる。さらにその他にも、例えば、光源１１に流れる電流波形が図５（ｃ）となるように、第２のスイッチング素子Ｑ２のスイッチングを制御する制御信号を第２のスイッチング素子Ｑ２へ出力してもよい。これにより、光源１１は、例えば０．５秒の点灯と例えば０．５秒の消灯とを繰り返す（すなわち例えば０．５秒間隔の点滅を行う）ようになる。なお、本実施の形態にかかる照明器具の制御装置４０は、判断部が落下防止ワイヤ１０４の他端と第１の接続部１０３とは接続していると判断した場合には、光源１１が通常の点灯をするように制御信号を出力する。
【０１１７】
落下防止ワイヤ１０４の他端が第１の接続部１０３に接続していないことを外部に報知するためには、本変形例のように、光源１１を一定時間間隔で点滅させることが望ましい。所定の光源１１がＬＥＤモジュール１４に用いられていない場合において、光源１１は点灯しない、又はランダムな時間間隔で点滅するので、落下防止ワイヤ１０４の他端が第１の接続部１０３に接続していないことと、所定の光源１１がＬＥＤモジュール１４に用いられていないこととを分けて、照明器具の使用者や照明器具の設置作業者に認識させるためである。
【０１１８】
実施の形態３．
次に、本発明の実施の形態３にかかる照明器具について説明する。本発明の実施の形態３では、本発明の実施の形態１及び本発明の実施の形態２と相違する部分について説明し、同一又は対応する部分についての説明は省略する。本実施の形態では、判断部は、照明回路に電流が流れ始めてから、落下防止ワイヤ１０４の他端と第１の接続部１０３との物理的な接続状態に応じて変化する照明回路内の検出電圧値が閾値Ｖｔｈ３になるまでの時間と、基準時間Ｔｔｈとを比較して、落下防止ワイヤ１０４の他端と第１の接続部１０３との接続状態を判断する。
【０１１９】
本発明の実施の形態３にかかる照明器具の構成は、本発明の実施の形態１にかかる照明器具１００及び本発明の実施の形態２にかかる照明器具の構成と同じである。図６は、本発明の実施の形態３にかかる照明器具が備える点灯装置１の負荷検出回路２５で検出される電圧を示したグラフである。図６は、グラフＣ３は、落下防止ワイヤ１０４の他端が第１の接続部１０３に接続している場合を示し、グラフＮ３は、落下防止ワイヤ１０４の他端が第１の接続部１０３に接続していない場合を示す。本実施の形態においても、落下防止ワイヤ１０４の他端と第１の接続部１０３との物理的な接続状態に応じて変化する照明回路内の検出電圧値、すなわち負荷検出回路２５で検出される光源１１の両端電圧Ａに基づいた検出値に基づいて、落下防止ワイヤ１０４の他端と第１の接続部１０３との接続状態を判断する。
【０１２０】
まず、落下防止ワイヤ１０４の他端が、第１の接続部１０３に接続している場合、図６のグラフＣ３について説明する。以下では、本発明の実施の形態１及び本発明の実施の形態２と同様に、落下防止ワイヤ１０４の他端が第１の接続部１０３に接続されている状態を第１の導通状態と呼ぶこととする。
【０１２１】
本実施の形態では、第１の導通状態において、直流電源２がＯＮ状態となると、交流電源４から供給された電流は、整流回路５を通って、第１のインダクタ１０に流れ、次に第１のダイオード１２を流れる。そして、交流電源４から供給された電流は、第２のスイッチング素子Ｑ２と接続検出回路２４とに流れ、次に第２のインダクタ２２を流れたあと、第２のコンデンサー９と、負荷検出回路２５と、光源１１と、第１の検出用抵抗１３とに分かれて流れる。
【０１２２】
本実施の形態では、本発明の実施の形態２と同様に、直流電源２をＯＮ状態とする時に、制御装置４０は、ＨＶＩＣ１８を介して第２のスイッチング素子Ｑ２にスイッチングを開始させる信号を出力する。したがって、直流電源２がＯＮ状態となった時に、第２のスイッチング素子Ｑ２はスイッチングを開始する。なお、本実施の形態では、判断部による落下防止ワイヤ１０４の他端と第１の接続部１０３との接続状態の判断は、光源１１が点灯する前に行われる。
【０１２３】
制御装置４０の判断部は、直流電源２をＯＮ状態としてから、すなわち照明回路に電流が流れ始めてから、負荷検出回路２５で検出される検出値が予め記憶部に記憶された閾値Ｖｔｈ３になるまでの時間ｔ５と予め記憶部に記憶された基準時間Ｔｔｈとを比較する。照明回路に電流が流れ始めてから、負荷検出回路２５で検出される検出値が予め記憶部に記憶された閾値Ｖｔｈ３になるまでの時間ｔ４が、予め記憶部に記憶された基準時間Ｔｔｈ以上の場合、落下防止ワイヤ１０４の他端は第１の接続部１０３と接続していると判断する。
【０１２４】
判断部が落下防止ワイヤ１０４の他端は第１の接続部１０３と接続していると判断した場合、負荷検出回路２５に印加される電圧は、そのまま上昇を続ける。もちろん、負荷検出回路２５に印加される電圧が上昇するとともに、光源１１と、第１の検出用抵抗１３とに印加される電圧も上昇する。光源１１に印加される電圧が点灯電圧に達すると、光源１１は点灯する。制御装置４０は、ＬＥＤモジュール１４に対して定電流制御を行っているので、光源１１が点灯したあと、光源１１に印加される電圧は一定になる。図６において、光源１１に印加される電圧が点灯電圧に達した時、負荷検出回路２５に印加される電圧はＶｆ１である。光源１１に印加される電圧は一定になると、図６のグラフＣ３に示すように、負荷検出回路２５に印加される電圧も一定になる。
【０１２５】
一方、落下防止ワイヤ１０４の他端が、第１の接続部１０３に接続していない場合、図６のグラフＮ３について説明する。以下では、本発明の実施の形態１及び本発明の実施の形態２と同様に、落下防止ワイヤ１０４の他端が第１の接続部１０３に接続していない状態を第１の不通状態と呼ぶ。
【０１２６】
第１の不通状態において、直流電源２がＯＮ状態となると、交流電源４から供給された電流は、整流回路５を通って、第１のインダクタ１０に流れ、次に第１のダイオード１２を流れる。そして、交流電源４から供給された電流は、第２のスイッチング素子Ｑ２と接続検出回路２４とに流れ、次に第２のインダクタ２２を流れたあと、第２のコンデンサー９と、負荷検出回路２５と、光源１１とに分かれて流れる。上述したように、落下防止ワイヤ１０４の他端が第１の接続部１０３に接続していない場合、第１の接続部１０３として示されるスイッチはＯＦＦ状態であるので、第１の検出用抵抗１３に電流は流れない。
【０１２７】
制御装置４０の判断部は、直流電源２をＯＮ状態としてから、すなわち照明回路に電流が流れ始めてから、負荷検出回路２５で検出される検出値が予め記憶部に記憶された閾値Ｖｔｈ３になるまでの時間ｔ４と予め記憶部に記憶された基準時間Ｔｔｈとを比較する。照明回路に電流が流れ始めてから、負荷検出回路２５で検出される検出値が予め記憶部に記憶された閾値Ｖｔｈ３になるまでの時間ｔ４が、予め記憶部に記憶された基準時間Ｔｔｈ未満の場合、落下防止ワイヤ１０４の他端は第１の接続部１０３と接続していないと判断する。そして、制御装置４０は、判断部が落下防止ワイヤ１０４の他端は第１の接続部１０３と接続していないと判断した場合に、ＨＶＩＣ１８に対して、第２のスイッチング素子Ｑ２のスイッチングを停止させるための信号を出力する。ＨＶＩＣ１８は、制御装置４０からの信号に基づいて、第２のスイッチング素子Ｑ２のスイッチングを停止させる。
【０１２８】
ＨＶＩＣ１８は、第２のスイッチング素子Ｑ２のスイッチングを停止させるので、図６のグラフＮ３に示すように、負荷検出回路２５に印加される電圧は、直流電源２をＯＮ状態としてからｔ４経過後に、急激に減少していく。そして、負荷検出回路２５では、第２のスイッチング素子Ｑ２を流れずに、第２のスイッチング素子Ｑ２をバイパスして接続検出回路２４を通って負荷検出回路２５に流れ込んだ電流が検出される。
【０１２９】
つまり、本実施の形態において、判断部が落下防止ワイヤ１０４の他端が第１の接続部１０３と接続していないと判断した場合に、制御装置４０は、光源１１に対して、点灯しなくて良いという信号を出力していることとなる。すなわち、本実施の形態において、報知手段とは光源１１である。
【０１３０】
本実施の形態において、制御装置４０の判断部は、照明回路に電流が流れ始めてから、負荷検出回路２５で検出される光源１１の両端電圧Ａに基づいた検出値が閾値Ｖｔｈ３になるまでの時間と予め記憶部に記憶された基準時間Ｔｔｈとを比較して、落下防止ワイヤ１０４の他端と第１の接続部１０３との接続状態を判断する。予め記憶部に記憶された閾値Ｖｔｈ３は、光源１１に印加される電圧が点灯電圧に達した時に負荷検出回路２５に印加される電圧であるＶｆ１よりも低ければよい。この範囲内において、閾値Ｖｔｈ３を決める。
【０１３１】
予め記憶部に記憶された基準値時間Ｔｔｈは、計算又は実験によって求められ、記憶部に記憶されている。まず、落下防止ワイヤ１０４の他端が第１の接続部１０３に接続している状態、すなわち第１の接続部１０３として示されるスイッチがＯＮ状態、かつ、第２のスイッチング素子Ｑ２がスイッチングをしている状態において、照明回路に電流が流れ始めてから、負荷検出回路２５で検出される光源１１の両端電圧Ａに基づいた検出値が閾値Ｖｔｈ３になるまでの時間を計算又は実機を用いた実験によって求め、本実施の形態にかかる照明器具の回路が有する部品ばらつきのマージンを持って、上限値を求める。
【０１３２】
さらに、落下防止ワイヤ１０４の他端が第１の接続部１０３に接続していない場合、すなわち第１の接続部１０３として示されるスイッチがＯＦＦ状態、かつ、第２のスイッチング素子Ｑ２がスイッチングをしている状態において、照明回路に電流が流れ始めてから、負荷検出回路２５で検出される光源１１の両端電圧Ａに基づいた検出値が閾値Ｖｔｈ３になるまでの時間を計算又は実機を用いた実験によって求め、本実施の形態にかかる照明器具の回路が有する部品ばらつきのマージンを持って、下限値を求める。基準値時間Ｔｔｈは、計算又は実機を用いた実験に基づいて求められた上限値及び下限値の範囲内に設定される。
【０１３３】
図６では、第２のスイッチング素子Ｑ２のスイッチングが停止され、第２のスイッチング素子Ｑ２を流れずに、第２のスイッチング素子Ｑ２をバイパスして接続検出回路２４を通って負荷検出回路２５に流れ込んだ電流のみが負荷検出回路２５にて検出されるようになった時間と、基準時間Ｔｔｈとが一致している。
【０１３４】
本実施の形態において、直流電源２がＯＮ状態となった時に、第２のスイッチング素子Ｑ２はスイッチングを開始するとしたが、本発明の実施の形態１のように、直流電源２がＯＮ状態に切り替わっても、すぐに第２のスイッチング素子Ｑ２のスイッチングを開始させずに、第２のスイッチング素子Ｑ２がＯＦＦ状態を維持している時に、落下防止ワイヤ１０４の他端が第１の接続部１０３と接続しているか否かを判断してもよい。直流電源２のＯＦＦ状態からＯＮ状態への切り替えに第２のスイッチング素子Ｑ２のスイッチングの開始を連動させない場合、閾値Ｖｔｈ３は、直流電源２のＯＦＦ状態からＯＮ状態への切り替えに第２のスイッチング素子Ｑ２のスイッチングの開始を連動させる場合よりも低くなる。
【０１３５】
本実施の形態では、判断部によって判断された落下防止ワイヤ１０４の他端と第１の接続部１０３との接続状態に応じて、制御装置４０が報知手段に制御信号を出力するとした。これにより、本実施の形態では、落下防止ワイヤ１０４の取り付け状況を容易に確認することができる照明器具を得ることができる。本実施の形態にかかる照明器具は、本発明の実施の形態１及び本発明の実施の形態２と同様に、落下防止ワイヤ１０４の他端を第１の接続部１０３に接続し忘れた状態で直流電源２をＯＮ状態とすると、光源１１が点灯しない。一方、落下防止ワイヤ１０４の他端が第１の接続部１０３と接続している状態で直流電源２をＯＮ状態とすると、光源１１は点灯する。そのため、落下防止ワイヤ１０４の他端と第１の接続部１０３との接続部分を直接目で見なくても、光源１１の点灯状況を確認できる場所からであれば、落下防止ワイヤ１０４の取り付け状況を容易に確認することができる。
【０１３６】
次に、本実施の形態にかかる照明器具の変形例について説明する。上記では、判断部が落下防止ワイヤ１０４の他端が第１の接続部１０３と接続していないと判断した場合、第２のスイッチング素子Ｑ２のスイッチングが停止され、光源１１が点灯しないとしたが、本変形例では、判断部が落下防止ワイヤ１０４の他端が第１の接続部１０３と接続していないと判断した場合に、第２のスイッチング素子Ｑ２のスイッチングを制御して、光源１１を点滅させる。つまり、本変形例は、判断部が落下防止ワイヤ１０４の他端が第１の接続部１０３と接続していないと判断したあとは、本発明の実施の形態２にかかる照明器具の変形例と同様である。
【０１３７】
本発明の実施の形態２と同様に、落下防止ワイヤ１０４の他端が第１の接続部１０３に接続していないことを外部に報知するためには、本変形例のように、光源１１を一定時間間隔で点滅させることが望ましい。
【０１３８】
実施の形態４．
次に、本発明の実施の形態４にかかる照明器具２００について説明する。本発明の実施の形態４では、本発明の実施の形態１から本発明の実施の形態３と相違する部分について説明し、同一又は対応する部分についての説明は省略する。本発明の実施の形態４にかかる照明器具２００は、本発明の実施の形態１から本発明の実施の形態３にかかる照明器具とは、判断部が落下防止ワイヤ１０４の他端と第１の接続部１０３とは接続していないと判断した場合に、外部へその旨を知らせるための方法が異なる。本実施の形態では、報知手段にブザーを用いる。
【０１３９】
図７は、本発明の実施の形態４にかかる照明器具２００の照明回路を示す図である。図４に示すように、本実施の形態にかかる照明器具２００は、本発明の実施の形態１にかかる照明器具１００に加えて、制御装置４０に接続されたブザー５０をさらに備える。ブザー５０は、報知手段として用いられる。本実施の形態にかかる照明器具２００の制御装置４０は、判断部によって判断された落下防止ワイヤ１０４の他端と第１の接続部１０３との接続状態に応じて、ブザー５０に制御信号を出力する。
【０１４０】
本実施の形態では、判断部が落下防止ワイヤ１０４の他端と第１の接続部１０３とは接続していないと判断した場合に、制御装置４０は、ブザー５０を鳴らすための制御信号をブザー５０へ出力する。ブザー５０は、制御装置４０から出力された制御信号に基づいて、ブザー５０を鳴らす。すなわち、本実施の形態において、報知手段とはブザー５０である。なお、本実施の形態において、ブザー５０の鳴り方（音の高さや時間、音量等）は特に限定しない。
【０１４１】
本実施の形態では、本発明の実施の形態１から本発明の実施の形態３と同様に、判断部によって判断された落下防止ワイヤ１０４の他端と第１の接続部１０３との接続状態に応じて、制御装置４０が報知手段に制御信号を出力するとした。これにより、本実施の形態でも、落下防止ワイヤ１０４の取り付け状況を容易に確認することができる照明器具２００を得ることができる。本実施の形態にかかる照明器具２００は、落下防止ワイヤ１０４の他端を第１の接続部１０３に接続し忘れた状態で直流電源２をＯＮ状態とすると、ブザー５０が鳴る。そのため、落下防止ワイヤ１０４の他端と第１の接続部１０３との接続部分を直接目で見なくても、ブザー５０が聞こえる場所からであれば、落下防止ワイヤ１０４の取り付け状況を容易に確認することができる。
【０１４２】
また、本発明の実施の形態１から本発明の実施の形態３では、落下防止ワイヤ１０４の取り付け状況を確認するために、光源１１の点灯状況を把握するための時間が必要であるが、本実施の形態では、落下防止ワイヤ１０４の他端が第１の接続部１０３に接続していない場合にブザー５０が鳴るので、短い時間で落下防止ワイヤ１０４の取り付け状況を容易に確認することができる。さらに、本実施の形態では、所定の光源１１がＬＥＤモジュール１４に用いられていない場合におけるランダムな時間間隔での点滅等をお知らせ信号と混同することが減るので、本実施の形態にかかる照明器具２００は、落下防止ワイヤ１０４の取り付け状況の確認をさらに容易にすることができる。
【０１４３】
実施の形態５．
次に、本発明の実施の形態５にかかる照明器具３００について説明する。本発明の実施の形態５では、本発明の実施の形態１から本発明の実施の形態４と相違する部分について説明し、同一又は対応する部分についての説明は省略する。本実施の形態にかかる照明器具３００は、本発明の実施の形態１から本発明の実施の形態４にかかる照明器具とは、接続部の設け方が異なる。
【０１４４】
図８は、本発明の実施の形態５にかかる照明器具３００を示す斜視図である。まず、本実施の形態にかかる照明器具３００の外形について説明する。図８に示すように、本実施の形態にかかる照明器具３００は、筐体１１１に含まれる本体カバー部１０１と光透過性カバー部１０２とで囲まれる空間内に、点灯装置３０１に接続された外部配線３１０を介して点灯装置３０１から電力が供給される光源１１を備える。しかしながら、光源１１は、本体カバー部１０１と光透過性カバー部とで囲まれる空間内にあるため、図８において、光源１１の全体像及び詳細は図示されない。本実施の形態にかかる照明器具３００は、光源１１の落下を防止する落下防止ワイヤ１０４をさらに備える。
【０１４５】
本実施の形態において外部配線３１０は、点灯装置３０１から光源１１へ向かう方向に電流が流れる第１の配線１１０ａと、光源１１から点灯措置３０１へ向かう方向に電流が流れる第２の配線１１０ｂと、第２の接続部３０３が第１の接続配線１２０ｃを介して接続された第３の配線１１０ｃと、第２の接続部３０３が第２の接続配線１２０ｄを介して接続された第４の配線１１０ｄとを有する。
【０１４６】
第１の配線１１０ａ、第２の配線１１０ｂ、第３の配線１１０ｃ及び第４の配線１１０ｄは、外部配線３１０を構成し、１本のケーブルにまとめられる。本実施の形態において外部配線３１０は１本のケーブルであるので、図５において、点灯装置３０１と吊り体１０９との間は１本の実線で外部配線３１０を示し、吊り体１０９及び筐体１１１内では破線で第１の配線１１０ａ、第２の配線１１０ｂ、第３の配線１１０ｃ、第４の配線１１０ｄ、第１の接続配線１２０ｃ、第２の接続配線１２０ｄを示す。第３の配線１１０ｃは、図８において、点灯装置３０１から第２の接続部３０３へ向かう方向に電流が流れる導線のうち、外部配線３１０を構成する部分を示す。第４の配線１１０ｄは、図８において、第２の接続部３０３から点灯装置３０１へ向かう方向に電流が流れる導線のうち、外部配線３１０を構成する部分を示す。第２の接続部３０３については、後述する。
【０１４７】
図９は、本発明の実施の形態５にかかる照明器具３００の照明回路を示す図である。本実施の形態にかかる照明器具３００は、光源１１を有する光源モジュール３４と、光源１１の点灯を制御する制御装置４０を有し光源１１を点灯させる点灯装置３０１とを含む照明回路を備える。図９において、本実施の形態にかかる照明器具３００のうち、点灯装置３０１は点線で囲まれ、ＬＥＤモジュール３４は破線で囲まれる。本実施の形態にかかる照明器具３００では、光源１１とＬＥＤモジュール３４とが同じである。図９に示すように、本実施の形態にかかる照明器具３００は、調光器４２と、リモコン４５とをさらに備える。本実施の形態にかかる照明器具３００が備える点灯装置３０１は、直流電源２と、バックコンバータ回路３０と、制御装置４０と、接続検出回路２４と、ＨＶＩＣ１８と、調光信号インターフェース回路４３と、制御電源生成回路７と、通信部４４とを備える。
【０１４８】
本実施の形態にかかる照明器具３００の点灯装置３０１のバックコンバータ回路３０は、本発明の実施の形態１から本発明の実施の形態４にかかる照明器具のバックコンバータ回路３に加えて、負荷検出回路２５に第３の分圧回路を並列に接続したものである。図９において、バックコンバータ回路３０は二点鎖線で囲まれる。第３の分圧回路は、第３の検出用抵抗１５１と第４の検出用抵抗１５２とが直接に接続されたものである。第４の検出用抵抗１５２には、第２の接続部３０３が並列に接続される。
【０１４９】
図９において、点灯装置３０１とＬＥＤモジュール３４とは、点灯装置３０１から光源１１へ向かう方向に電流が流れる第１の配線１１０ａと、光源１１から点灯装置３０１へ向かう方向に電流が流れる第２の配線１１０ｂとを用いて接続される。第４の検出用抵抗１５２と第２の接続部３０３とは、第３の配線１１０ｃと第４の配線１１０ｄと第１の接続配線１２０ｃと第２の接続配線１２０ｄを用いて接続される。第１の配線１１０ａは、図９において、点灯装置３０１から光源１１へ向かう方向に電流が流れる導線のうち、点灯装置３０１とＬＥＤモジュール３４との間を示す。第２の配線１１０ｂは、図９において、光源１１から点灯装置３０１へ向かう方向に電流が流れる導線のうち、点灯装置３０１とＬＥＤモジュール３４との間を示す。
【０１５０】
第１の接続配線１２０ｃは第３の配線１１０ｃと第２の接続部３０３との間であり、第２の接続配線１２０ｄは第４の配線１１０ｄと第２の接続部３０３との間である。本実施の形態において、第３の配線１１０ｃと第１の接続配線１２０ｃとは一続きの配線である。つまり、本実施の形態では、１本の配線内に、第３の配線１１０ｃとする部分と第１の接続配線１２０ｃとする部分とを設けた。同様に、本実施の形態において、第４の配線１１０ｄと第２の接続配線１２０ｄとは一続きの配線である。つまり、本実施の形態では、１本の配線内に、第４の配線１１０ｄとする部分と第２の接続配線１２０ｄとする部分とを設けた。
【０１５１】
本実施の形態において、第２の接続部３０３は、第１の接続配線１２０ｃと第２の接続配線１２０ｄとをまとめる雄又は雌のコネクター端子である。本実施の形態において、落下防止ワイヤ１０４の他端は、雄又は雌のコネクター端子であり、第２の接続部３０３と対をなすコネクター端子である。第２の接続部３０３には、落下防止ワイヤ１０４の他端が物理的に接続可能である。本実施の形態では、第２の接続部３０３に落下防止ワイヤ１０４の他端が接続されると、第１の接続配線１２０ｃと第２の接続配線１２０ｄとが導通し、第３の配線１１０ｃと第４の配線１１０ｄとが導通する。すなわち、第２の接続部３０３に落下防止ワイヤ１０４の他端が接続されると、第３の検出用抵抗１５１から第３の配線１１０ｃへ、第３の配線１１０ｃから第１の接続配線１２０ｃへ、第１の接続配線１２０ｃから第２の接続配線１２０ｄへ、第２の接続配線１２０ｄから第４の配線１１０ｄへ電流が流れることが可能な経路ができる。第２の接続部３０３に落下防止ワイヤ１０４の他端が接続されていない場合は、第１の接続配線１２０ｃと第２の接続配線１２０ｄとは導通せず、第３の配線１１０ｃと第４の配線１１０ｄとは導通しない。
【０１５２】
したがって、図９において、第２の接続部３０３はスイッチの記号で示される。第２の接続部３０３に落下防止ワイヤ１０４の他端が接続されたとき、スイッチはＯＮ状態であり、第２の接続部３０３に落下防止ワイヤ１０４の他端が接続されていないとき、スイッチはＯＦＦ状態である。
【０１５３】
本実施の形態では、落下防止ワイヤ１０４は、一端が造営材又は造営材に固定されるものに接続され、他端が第２の接続部３０３に物理的に接続する。本実施の形態において例えば、第１の配線１１０ａ及び第２の配線１１０ｂが切断されても、第１の配線１１０ａと第２の配線１１０ｂと第３の配線１１０ｃと第４の配線１１０ｄとは１本のケーブルにまとめられているので、第１の配線１１０ａ及び第２の配線１１０ｂのうち切断点から光源１１までの部分は、第３の配線１１０ｃ及び第３の配線１１０ｄと一体となっている。そのため、例えば第１の配線１１０ａ及び第２の配線１１０ｂが切断されたとしても、第１の配線１１０ａ及び第２の配線１１０ｂのうち切断点から光源１１までの部分と、第３の配線１１０ｃ及び第４の配線１１０ｄと、第１の接続配線１２０ｃ及び第２の接続配線１２０ｄと、第２の接続部３０３とを介して、光源１１は落下防止ワイヤ１０４によって落下が防止される。
【０１５４】
本実施の形態において、落下防止ワイヤ１０４の他端が第２の接続部３０３に物理的に接続されることにより、落下防止ワイヤ１０４の他端は第１の接続配線１２０ｃと第２の接続配線１２０ｄと外部配線３１０とを介して光源１１に物理的に接続される。つまり、本実施の形態において、落下防止ワイヤ１０４の他端は第２の接続部３０３に物理的に接続可能であるとは、落下防止ワイヤ１０４の他端は光源１１に物理的に接続可能であることを示す。
【０１５５】
本実施の形態において、第２の接続部３０３は、第１の接続配線１２０ｃと第２の接続配線１２０ｄとをまとめる雄又は雌のコネクター端子であるとしたが、これに限られることはない。例えば、第１の接続配線１２０ｃの第３の配線１１０ｃと接続していない側が接続された箇所と、第２の接続配線１２０ｄの第３の配線１１０ｄと接続していない側が接続された箇所とを含む領域を、光源１１が搭載されたプリント基板上に第２の接続部３０３として設けてもよい。そして、プリント基板上の第２の接続部３０３に落下防止ワイヤ１０４の他端が接続されると、第１の接続配線１２０ｃと第２の接続配線１２０ｄとが導通し、第３の配線１１０ｃと第４の配線１１０ｄとが導通するようにしてもよい。
【０１５６】
この場合、光源１１と第２の接続部３０３とが一つの基板上に構成され、ＬＥＤモジュール３４は光源１１と第２の接続部３０３を有することとなり、落下防止ワイヤ１０４の他端は、ＬＥＤモジュール３４の一部である第２の接続部３０３に物理的に接続する。ここで、例えば第１の配線１１０ａ及び第２の配線１１０ｂが切断されたとしても、落下防止ワイヤ１０４がＬＥＤモジュール１４を保持しているので、光源１１は落下防止ワイヤ１０４によって支持され、光源１１は落下防止ワイヤ１０４によって床等に落ちることが物理的に防止される。
【０１５７】
次に、落下防止ワイヤ１０４の他端と第２の接続部３０３との接続状態を判断する方法について説明する。落下防止ワイヤ１０４の他端と第２の接続部３０３との接続状態は、制御装置４０が有する判断部によって判断される。判断部は、落下防止ワイヤ１０４の他端と第２の接続部３０３との物理的な接続状態に応じて変化する照明回路内の検出電圧値に基づいて、落下防止ワイヤ１０４の他端と第２の接続部３０３との接続状態を判断する。
【０１５８】
詳細に説明すると、判断部は、負荷検出回路２５で検出される光源１１の両端電圧Ａに基づいた検出値と、予め記憶部に記憶された閾値Ｖｔｈ４とを比較して、落下防止ワイヤ１０４の他端と第２の接続部３０３との接続状態を判断する。本実施の形態において下防止ワイヤ１０４の他端と第２の接続部３０３との物理的な接続状態に応じて変化する照明回路内の検出電圧値とは、負荷検出回路２５で検出される光源１１の両端電圧Ａに基づいた検出値である。また、本実施の形態において光源１１の両端電圧Ａに基づいた検出値とは、第３の検出用抵抗１５１と第４の検出用抵抗１５２とで分圧されて制御装置４０に入力されて制御装置４０に入力された電圧値である。
【０１５９】
さらに詳細に説明すると、判断部は、負荷検出回路２５で検出される光源１１の両端電圧Ａに基づいた検出値と、予め記憶部に記憶された閾値Ｖｔｈ４とを比較して、負荷検出回路２５で検出される光源１１の両端電圧Ａに基づいた検出値が、予め記憶部に記憶された閾値Ｖｔｈ４未満の場合、落下防止ワイヤ１０４の他端は第１の接続部１０３とは接続していると判断する。一方、負荷検出回路２５で検出される光源１１の両端電圧Ａに基づいた検出値が、予め記憶部に記憶された閾値Ｖｔｈ４以上の場合、判断部は、落下防止ワイヤ１０４の他端は第１の接続部１０３と接続していないと判断する。
【０１６０】
本実施の形態にかかる照明器具３００の制御装置４０は、判断部によって判断された落下防止ワイヤ１０４の他端と第２の接続部３０３との接続状態に応じて報知手段に制御信号を出力する。本実施の形態では、制御装置４０は、判断部が落下防止ワイヤ１０４の他端は第２の接続部３０３と接続していないと判断した場合に、報知手段に制御信号を出力する。
【０１６１】
まず、落下防止ワイヤ１０４の他端が、第２の接続部３０３に接続しているとする。上述したように、第２の接続部３０３に落下防止ワイヤ１０４の他端が接続されると、第３の検出用抵抗１５１から第３の配線１１０ｃへ、そして第３の配線１１０ｃから第３の配線１１９ｄへ電流が流れることが可能な経路ができる。以下では、落下防止ワイヤ１０４の他端が第２の接続部３０３に接続されている状態を第２の導通状態と呼ぶこととする。
【０１６２】
第２の導通状態において、直流電源２がＯＮ状態となると、交流電源４から供給された電流は、整流回路５を通って、第１のインダクタ１０に流れ、次に第１のダイオード１２を流れる。そして、交流電源４から供給された電流は、第２のスイッチング素子Ｑ２をバイパスして接続検出回路２４に流れ、次に第２のインダクタ２２を流れたあと、第２のコンデンサー９と、負荷検出回路２５と、第３の分圧回路と、光源１１とに分かれて流れる。
【０１６３】
本実施の形態では、本発明の実施の形態１と同様に、直流電源２のＯＦＦ状態からＯＮ状態への切り替えに、第２のスイッチング素子Ｑ２のスイッチングの開始が連動していない。本実施の形態では、本発明の実施の形態１と同様に、判断部による落下防止ワイヤ１０４の他端と第２の接続部３０３との接続状態の判断は、制御装置４０がＨＶＩＣ１８を介して第２のスイッチング素子Ｑ２にスイッチングを開始させる信号を出力していない状態の時、すなわち第２のスイッチング素子Ｑ２がスイッチングをしておらず、ＯＦＦ状態を維持している時に行われる。
【０１６４】
一方、落下防止ワイヤ１０４の他端が、第２の接続部３０３に接続していないとする。上述したように、第２の接続部３０３に落下防止ワイヤ１０４の他端が接続していない場合は、第３の配線１１０ｃと第３の配線１１０ｄとは導通しない。すなわち、第２の接続部３０３に落下防止ワイヤ１０４の他端が接続していない場合は、図９において第２の接続部３０３として示されるスイッチがＯＦＦ状態である。以下では、落下防止ワイヤ１０４の他端が第２の接続部３０３に接続していない状態を第２の不通状態と呼ぶ。
【０１６５】
第２の不通状態において、直流電源２がＯＮ状態となると、交流電源４から供給された電流は、整流回路５を通って、第１のインダクタ１０に流れ、次に第１のダイオード１２を流れる。そして、交流電源４から供給された電流は、第２のインダクタ２２を流れたあと、第２のコンデンサー９と、負荷検出回路２と、光源１１とに分かれて流れる。上述したように、落下防止ワイヤ１０４の他端が第２の接続部３０３に接続していない場合、第２の接続部３０３として示されるスイッチはＯＦＦ状態であるので、第３の検出用抵抗１５１と第４の検出用抵抗１５２とに電流は流れない。
【０１６６】
本実施の形態においても、本発明の実施の形態１から本発明の実施の形態４のように、落下防止ワイヤ１０４の他端が第２の接続部３０３と接続しているか否かによって、負荷検出回路２５で検出される光源１１の両端電圧Ａに基づいた検出値が異なる。そのため、判断部は、負荷検出回路２５で検出された光源１１の両端電圧Ａに基づいた検出値と、予め記憶部に記憶された閾値とを比較することで、落下防止ワイヤ１０４の他端が第２の接続部３０３に接続されているか否かを判断することができる。また、本発明の実施の形態３のように、負荷検出回路２５で検出される検出値が予め記憶部に記憶された閾値になった時間と、予め記憶部に記憶された基準時間Ｔｔｈとを比較することで、落下防止ワイヤ１０４の他端が第２の接続部３０３に接続されているか否かを判断することができる。
【０１６７】
実施の形態６．
次に、本発明の実施の形態６にかかる照明器具５００について説明する。本発明の実施の形態６では、本発明の実施の形態１から本発明の実施の形態５と相違する部分について説明し、同一又は対応する部分についての説明は省略する。本実施の形態にかかる照明器具５００は、本発明の実施の形態１から本発明の実施の形態５にかかる照明器具とは、接続部のしくみが異なる。
【０１６８】
図１０は、本発明の実施の形態６にかかる照明器具５００を示す斜視図である。図１０に示すように、本実施の形態にかかる照明器具５００は、筐体１１１に含まれる本体カバー部１０１と光透過性カバー部１０２とで囲まれる空間内に、点灯装置３０１に接続された外部配線３１０を介して点灯装置３０１から電力が供給される光源１１を備える。しかしながら、光源１１は、本体カバー部１０１と光透過性カバー部とで囲まれる空間内にあるため、図１０において、光源１１の全体像及び詳細は図示されない。本実施の形態にかかる照明器具５００は、光源１１の落下を防止する落下防止ワイヤ５０４をさらに備える。
【０１６９】
本実施の形態において、落下防止ワイヤ５０４の一端は、固定部である筐体固定具１０６に物理的に接続可能である。図１０は、図１及び図８と同様に、落下防止ワイヤ１０４の一端が筐体固定具１０６に接続される前の状態を示す。落下防止ワイヤ５０４の一端は、本発明の実施の形態１から本発明の実施の形態５と同様に、光源１１の落下を防止するために、壁や天井等の造営材又は造営材に固定されるものに接続されていればよく、固定部は筐体固定具１０６に限定されない。
【０１７０】
本実施の形態では、落下防止ワイヤ５０４の他端に、係合部５０３ａが設けられ、本体カバー部１０１に、被係合部５０３ｂが設けられる。係合部５０３ａが被係合部５０３ｂに係合することで、第１の接続配線１２０ｃと第２の接続配線１２０ｄとが導通する。係合部５０３ａ及び被係合部５０３ｂは、第３の接続部５０３の構成に含まれる。第３の接続部５０３は、本発明の実施の形態１から本発明の実施の形態５の第１の接続部１０３又は第２の接続部３０３と同様に、回路図の上ではスイッチの記号で示される。被係合部５０３ｂに係合部５０３ａが係合している時、第３の接続部５０３はＯＮ状態であり、第１の接続配線１２０ｃと第２の接続配線１２０ｄとは導通する。被係合部５０３ｂに係合部５０３ａが係合していない時、第３の接続部５０３はＯＦＦ状態であり、第１の接続配線１２０ｃと第２の接続配線１２０ｄとは導通しない。
【０１７１】
被係合部５０３ｂは本体カバー部１０１に設けられており、落下防止ワイヤ５０４の他端に設けられた係合部５０３ａは被係合部５０３ｂに係合するので、本実施の形態では、落下防止ワイヤ５０４は、本体カバー部１０１の落下を防止することで間接的に光源１１の落下を防止する。すなわち、落下防止ワイヤ５０４は、本体カバー部１０１を介して光源１１の落下を防止する。本実施の形態では、被係合部５０３ｂを本体カバー部１０１に設けたが、筐体１１１に含まれる他の部品でもよく、落下防止ワイヤ５０４が筐体１１１を介して光源１１の落下を防止できればよい。
【０１７２】
係合部５０３ａ及び被係合部５０３ｂは、被係合部５０３ｂに係合部５０３ａを係合することで第３の接続部５０３がＯＮ状態となり、第１の接続配線１２０ｃと第２の接続配線１２０ｄとが導通する機構であればよい。例えば、係合部５０３ａを被係合部５０３ｂに係合すると、係合部５０３ａによって導電性部材が照明器具５００の内側に押し込まれ、押し込まれた導電性部材を介して第１の接続配線１２０ｃと第２の接続配線１２０ｄとが導通するようにしてもよい。その他、被係合部５０３ｂに係合部５０３ａを嵌め込んだあと、落下防止ワイヤ５０４を引っ張ることで係合部５０３ａと被係合部５０３ｂとが係合し、第１の接続配線１２０ｃと第２の接続配線１２０ｄとが導通するようにしてもよい。つまり、一般的な照明器具の電源スイッチの紐が有する電源スイッチのＯＮ状態とＯＦＦ状態とを切り替えるしくみを、落下防止ワイヤ５０４の他端に応用してもよい。
【０１７３】
本実施の形態では、第３の接続部５０３のしくみを図８の第２の接合部３０３に応用していたが、第３の接続部５０３のしくみを図１の第１の接続部１０３に応用してもよい。つまり、本実施の形態では、落下防止ワイヤ５０４の係合部５０３ａが本体カバー部１０１の被係合部５０３ｂに係合することで、第１の接続配線１２０ｃと第２の接続配線１２０ｄとが導通するとしたが、落下防止ワイヤ５０４の係合部５０３ａが本体カバー部１０１の被係合部５０３ｂに係合することで、内部配線１０５ａと内部配線１０５ｂとが導通するようにしてもよい。
【０１７４】
なお、本発明は、発明の範囲内において、各実施の形態や変形例を自由に組み合わせること、各実施の形態を適宜、変形、省略することが可能である。各実施の形態において例示された各構成要素の寸法、材質、形状、それらの相対配置等は、本発明が適用される装置の構成や各種条件により適宜変更されるものであり、本発明はそれらの例示に限定されるものではない。また、各図における各構成要素の寸法は、実際の寸法と異なる場合がある。
【符号の説明】
【０１７５】
１，３０１  点灯装置、２  直流電源、３，３０  バックコンバータ回路、４  交流電源、５  整流回路、６  第１のコンデンサー、７  制御電源生成回路、８  電解コンデンサー、９  第２のコンデンサー、１０  第１のインダクタ、１１  光源、１１ａ  ＬＥＤ素子、１２  第１のダイオード、１３  第１の検出用抵抗、１４，３４  ＬＥＤモジュール、１５  第３の分圧抵抗、１６  第４の分圧抵抗、２１  第２のダイオード、２２  第２のインダクタ、２３  第２の検出用抵抗、２４  接続検出回路、２５  負荷検出回路、３１  第１の分圧抵抗、３２  第２の分圧抵抗、４０  制御装置、４２  調光器、４３  調光信号インターフェース回路、４４  通信部、４５  リモコン、５０  ブザー、５１  第５の分圧抵抗、５２  第６の分圧抵抗、１００，２００，３００，５００  照明器具、１０１  本体カバー部、１０２  光透過性カバー部、１０３，３０３，５０３  接続部、１０４，５０４  落下防止ワイヤ、１０５ａ，１０５ｂ  内部配線、１０６  筐体固定具、１０７  接続具、１０８  天井固定具、１０９  吊り体、１１０，３１０  外部配線、１１０ａ  第１の配線、１１０ｂ  第２の配線、１１０ｃ  第３の配線、１１０ｄ  第４の配線、１１１  筐体、１２０ｃ  第１の接続配線、１２０ｄ  第２の接続配線、１５１  第３の検出用抵抗、１５２  第４の検出用抵抗、５０３ａ  係合部、５０３ｂ  被係合部、Ｑ１  第１のスイッチング素子、Ｑ２  第２のスイッチング素子。
【図１】
2018120737.tif 000003
【図２】
2018120737.tif 000004
【図３】
2018120737.tif 000005
【図４】
2018120737.tif 000006
【図５】
2018120737.tif 000007
【図６】
2018120737.tif 000008
【図７】
2018120737.tif 000009
【図８】
2018120737.tif 000010
【図９】
2018120737.tif 000011
【図１０】
2018120737.tif 000012